(57)【特許請求の範囲】
【請求項１】
画像を入力する画像入力手段からの画像を構成する画素の入力濃度値が与えられ、入力された画像に対して補正曲線を用いた階調補正処理を施す階調補正処理手段を備え、
前記階調補正処理手段は、前記入力濃度値に対する前記補正曲線上の補正値を与え、階調補正処理が施された画像を画像出力手段に与える構成である画像処理装置において、
入力濃度値に対する補正値の予め定める変化を示す基準補正曲線を記憶している基準補正曲線記憶手段と、
入力濃度値の範囲内で相互に間隔を空けて指定された入力濃度値である複数の指定濃度値XPｉ,XPｉ＋１にそれぞれ対応して、該指定濃度値XPｉに対する前記基準補正曲線上の補正値YB(XPｉ)と、該指定濃度値に対する補正曲線上の補正値YP(XPｉ)との差であり、前記基準補正曲線を基に予め設定された補正量であって、前記画像出力手段の固有の出力特性に基づいた補正量である第１の補正量を記憶している補正量記憶手段と、
前記画像出力手段が出力する画像の画素の濃度の入力濃度値に対する予め定める変化を示す目標特性曲線を記憶している目標特性曲線記憶手段とを含み、
前記階調補正処理手段は、
階調補正処理に用いる補正曲線の作成のために、
（ａ）前記指定濃度値XPｉ,XPｉ＋１に対する補正値YP(XPｉ),YP(XPｉ＋１)を、前記指定濃度値XPｉ,XPｉ＋１に対する前記基準補正曲線上の補正値と前記指定濃度値XPｉ,XPｉ＋１に対応する補正量とを加算して算出し、
（ｂ）前記指定濃度値XPｉ,XPｉ＋１両端とする区間である第１区間ΔXPｉ内にある前記補正曲線の形状を、前記指定濃度値に対する補正値YP(XPｉ),YP(XPｉ＋１)を両端とする区間である第２区間ΔYBｉ内にある基準補正曲線の形状を濃度値軸に平行な方向Ｘに伸長または圧縮した形状と一致させる補間演算によって、前記指定濃度値以外の入力濃度値に対する補正値を算出し、
前記第１の補正量の決定時に、
（ｃ）前記各指定濃度値XPｉの画像パターンに、前記基準補正曲線を用いた階調補正処理を施し、
（ｄ）階調補正処理された各指定濃度値XPｉの画像パターンを、前記画像出力手段によって出力され、
（ｅ）出力された各指定濃度値の画像パターンの濃度YMｉを、前記画像入力手段によって読取らせ、
（ｆ）読取らせた濃度YMｉを前記目標特性曲線と比較し、比較結果に基づいて第１の補正量を決定し、
前記指定濃度値の画像パターンの読取られた濃度が、前記画像入力手段が読取りを誤り易い予め定める濃度範囲外にある場合、該濃度を用いた補正値の算出を行い、
前記指定濃度値の画像パターンの読取られた濃度が前記濃度範囲内にある場合、該濃度を用いた補正値の算出を停止することを特徴とする画像処理装置。
【請求項２】
画像を入力する画像入力手段からの画像を構成する画素の入力濃度値が与えられ、入力された画像に対して補正曲線を用いた階調補正処理を施す階調補正処理手段を備え、
前記階調補正処理手段は、前記入力濃度値に対する前記補正曲線上の補正値を与え、階調補正処理が施された画像を画像出力手段に与える構成である画像処理装置において、
入力濃度値に対する補正値の予め定める変化を示す基準補正曲線を記憶している基準補正曲線記憶手段と、
入力濃度値の範囲内で相互に間隔を空けて指定された入力濃度値である複数の指定濃度値XPｉ, XPｉ＋１にそれぞれ対応して、該指定濃度値XPｉに対する前記基準補正曲線上の補正値YB(XPｉ)と、該指定濃度値に対する補正曲線上の補正値YP(XPｉ)との差であり、前記基準補正曲線を基に予め設定された補正量であって、前記画像出力手段の固有の出力特性に基づいた補正量である第１の補正量と、入力された調整量に基づいた補正量である第２の補正量との和である補正量を記憶している補正量記憶手段と、
画像の階調補正処理に関して設定される前記調整量を入力して前記補正量記憶手段に与える調整量入力手段と、
前記画像出力手段が出力する画像の画素の濃度の入力濃度値に対する予め定める変化を示す目標特性曲線を記憶している目標特性曲線記憶手段とを含み、
前記階調補正処理手段は、
階調補正処理に用いる補正曲線の作成のために、
（ａ）前記指定濃度値XPｉ,XPｉ＋１に対する補正値YP(XPｉ),YP(XPｉ＋１)を、前記指定濃度値XPｉ,XPｉ＋１に対する前記基準補正曲線上の補正値と前記指定濃度値XPｉ,XPｉ＋１に対応する補正量とを加算して算出し、
（ｂ）前記指定濃度値XPｉ,XPｉ＋１両端とする区間である第１区間ΔXPｉ内にある前記補正曲線の形状を、前記指定濃度値に対する補正値YP(XPｉ),YP(XPｉ＋１)を両端とする区間である第２区間ΔYBｉ内にある基準補正曲線の形状を濃度値軸に平行な方向Ｘに伸長または圧縮した形状と一致させる補間演算によって、前記指定濃度値以外の入力濃度値に対する補正値を算出し、
前記第１の補正量の決定時に、
（ｃ）前記各指定濃度値XPｉの画像パターンに、前記基準補正曲線を用いた階調補正処理を施し、
（ｄ）階調補正処理された各指定濃度値XPｉの画像パターンを、前記画像出力手段によって出力され、
（ｅ）出力された各指定濃度値の画像パターンの濃度YMｉを、前記画像入力手段によって読取らせ、
（ｆ）読取らせた濃度YMｉを前記目標特性曲線と比較し、比較結果に基づいて第１の補正量を決定し、
前記指定濃度値の画像パターンの読取られた濃度が、前記画像入力手段が読取りを誤り易い予め定める濃度範囲外にある場合、該濃度を用いた補正値の算出を行い、
前記指定濃度値の画像パターンの読取られた濃度が前記濃度範囲内にある場合、該濃度を用いた補正値の算出を停止することを特徴とする画像処理装置。
【請求項３】
画像を入力する画像入力手段からの画像を構成する画素の入力濃度値が与えられ、入力された画像に対して補正曲線を用いた階調補正処理を施す階調補正処理手段を備え、
前記階調補正処理手段は、前記入力濃度値に対する前記補正曲線上の補正値を与え、階調補正処理が施された画像を画像出力手段に与える構成である画像処理装置において、
入力濃度値に対する補正値の予め定める変化を示す基準補正曲線を記憶している基準補正曲線記憶手段と、
入力濃度値の範囲内で相互に間隔を空けて指定された入力濃度値である複数の指定濃度値XPｉ,XPｉ＋１にそれぞれ対応して、該指定濃度値XPｉに対する前記基準補正曲線上の補正値YB(XPｉ)と、該指定濃度値に対する補正曲線上の補正値YP(XPｉ)との差であり、前記基準補正曲線を基に予め設定された補正量を記憶している補正量記憶手段と、
前記画像に対して、ディザ方式の中間調補正処理を施す中間調補正処理手段とを含み、
前記階調補正処理手段は、
階調補正処理に用いる補正曲線の作成のために、
（ａ）前記指定濃度値XPｉ,XPｉ＋１に対する補正値YP(XPｉ),YP(XPｉ＋１)を、前記指定濃度値XPｉ,XPｉ＋１に対する前記基準補正曲線上の補正値と前記指定濃度値XPｉ,XPｉ＋１に対応する補正量とを加算して算出し、
（ｂ）前記指定濃度値XPｉ,XPｉ＋１両端とする区間である第１区間ΔXPｉ内にある前記補正曲線の形状を、前記指定濃度値に対する補正値YP(XPｉ),YP(XPｉ＋１)を両端とする区間である第２区間ΔYBｉ内にある基準補正曲線の形状を濃度値軸に平行な方向Ｘに伸長または圧縮した形状と一致させる補間演算によって、前記指定濃度値以外の入力濃度値に対する補正値を算出し、
前記基準補正曲線および前記指定濃度値に対応する補正量は、前記中間調補正処理手段が用いることができるディザマトリクスのサイズ毎に設定されていることを特徴とする画像処理装置。
【請求項４】
画像を入力する画像入力手段からの画像を構成する画素の入力濃度値が与えられ、入力された画像に対して補正曲線を用いた階調補正処理を施す階調補正処理手段を備え、
前記階調補正処理手段は、前記入力濃度値に対する前記補正曲線上の補正値を与え、階調補正処理が施された画像を画像出力手段に与える構成である画像処理装置において、
入力濃度値に対する補正値の予め定める変化を示す基準補正曲線を記憶している基準補正曲線記憶手段と、
入力濃度値の範囲内で相互に間隔を空けて指定された入力濃度値である複数の指定濃度値XPｉ,XPｉ＋１にそれぞれ対応して、該指定濃度値XPｉに対する前記基準補正曲線上の補正値YB(XPｉ)と、該指定濃度値に対する補正曲線上の補正値YP(XPｉ)との差であり、前記基準補正曲線を基に予め設定された補正量であって、前記画像出力手段の固有の出力特性に基づいた補正量である第１の補正量を記憶している補正量記憶手段と、
前記画像出力手段が出力する画像の画素の濃度の入力濃度値に対する予め定める変化を示す目標特性曲線を記憶している目標特性曲線記憶手段と、
前記補正曲線を記憶する補正曲線記憶手段とを含み、
前記補正曲線は、入力濃度値に対する補正値の変化を示し、
入力濃度値に対する補正値の予め定める変化を示す基準補正曲線と、
前記画像出力手段が出力する画素の濃度の入力濃度値に対する予め定める変化を示す目標特性曲線とに基づいて、
（ａ）入力濃度値の範囲内で相互に間隔をあけて指定された入力濃度値である複数の各指定濃度値XPｉ，XPｉ＋１の画像パターンに、前記基準補正曲線を用いた階調補正処理を施し、
（ｂ）階調補正処理された各指定濃度値XPｉ，XPｉ＋１の画像パターンを、前記画像出力手段によって出力させ、
（ｃ）出力された各指定濃度値XPｉ，XPｉ＋１の画像パターンの濃度YMｉ，YMｉ＋１を読取らせ、
（ｄ）各指定濃度値の画像パターンの濃度YMｉ，YMｉ＋１に対する前記目標特性曲線上の入力濃度値XB(YMｉ)，XB(YMｉ＋１)を算出し、
（ｅ）算出された入力濃度値XB(YMｉ)，XB(YMｉ＋１)に対する補正値YP(YMｉ),YP(YMｉ＋１)として、前記指定濃度値XPｉ，XPｉ＋１に対する前記基準補正曲線上の補正値YB(XPｉ)，YB(XPｉ＋１)を採用し、
（ｆ）算出された入力濃度値XB(YMｉ)，XB(YMｉ＋１)を両端とする第４区間ΔXB(YMi)内にある補正曲線の形状を、第４区間の両端の入力濃度値に対する曲線値V(YMｉ),V(YMｉ＋１)を両端とする第５区間ΔV(YMｉ)内にある前記基準補正曲線の形状を濃度値軸方向Ｘに伸長または圧縮した形状と一致させる補間演算によって、前記第４区間ΔXB(YMｉ)内の入力濃度値に対する前記補正曲線上の補正値を算出して、作成されており、
前記階調補正処理手段は、
前記第１の補正量の決定時に、
前記読取らせた濃度YMｉを前記目標特性曲線と比較し、比較結果に基づいて第１の補正量を決定し、
前記指定濃度値の画像パターンの読取られた濃度が、前記画像入力手段が読取りを誤り易い予め定める濃度範囲外にある場合、該濃度を用いた補正値の算出を行い、
前記指定濃度値の画像パターンの読取られた濃度が前記濃度範囲内にある場合、該濃度を用いた補正値の算出を停止することを特徴とする画像処理装置。
【請求項５】
画像を入力する画像入力手段からの画像を構成する画素の入力濃度値が与えられ、入力された画像に対して補正曲線を用いた階調補正処理を施す階調補正処理手段を備え、
前記階調補正処理手段は、前記入力濃度値に対する前記補正曲線上の補正値を与え、階調補正処理が施された画像を画像出力手段に与える構成である画像処理装置において、
入力濃度値に対する補正値の予め定める変化を示す基準補正曲線を記憶している基準補正曲線記憶手段と、
入力濃度値の範囲内で相互に間隔を空けて指定された入力濃度値である複数の指定濃度値XPｉ,XPｉ＋１にそれぞれ対応して、該指定濃度値XPｉに対する前記基準補正曲線上の補正値YB(XPｉ)と、該指定濃度値に対する補正曲線上の補正値YP(XPｉ)との差であり、前記基準補正曲線を基に予め設定された補正量であって、前記画像出力手段の固有の出力特性に基づいた補正量である第１の補正量と、入力された調整量に基づいた補正量である第２の補正量との和である補正量を記憶している補正量記憶手段と、
画像の階調補正処理に関して設定される前記調整量を入力して前記補正量記憶手段に与える調整量入力手段と、
前記画像出力手段が出力する画像の画素の濃度の入力濃度値に対する予め定める変化を示す目標特性曲線を記憶している目標特性曲線記憶手段と、
前記補正曲線を記憶する補正曲線記憶手段とを含み、
前記補正曲線は、入力濃度値に対する補正値の変化を示し、
入力濃度値に対する補正値の予め定める変化を示す基準補正曲線と、
前記画像出力手段が出力する画素の濃度の入力濃度値に対する予め定める変化を示す目標特性曲線とに基づいて、
（ａ）入力濃度値の範囲内で相互に間隔をあけて指定された入力濃度値である複数の各指定濃度値XPｉ，XPｉ＋１の画像パターンに、前記基準補正曲線を用いた階調補正処理を施し、
（ｂ）階調補正処理された各指定濃度値XPｉ，XPｉ＋１の画像パターンを、前記画像出力手段によって出力させ、
（ｃ）出力された各指定濃度値XPｉ，XPｉ＋１の画像パターンの濃度YMｉ，YMｉ＋１を読取らせ、
（ｄ）各指定濃度値の画像パターンの濃度YMｉ，YMｉ＋１に対する前記目標特性曲線上の入力濃度値XB(YMｉ)，XB(YMｉ＋１)を算出し、
（ｅ）算出された入力濃度値XB(YMｉ)，XB(YMｉ＋１)に対する補正値YP(YMｉ),YP(YMｉ＋１)として、前記指定濃度値XPｉ，XPｉ＋１に対する前記基準補正曲線上の補正値YB(XPｉ)，YB(XPｉ＋１)を採用し、
（ｆ）算出された入力濃度値XB(YMｉ)，XB(YMｉ＋１)を両端とする第４区間ΔXB(YMi)内にある補正曲線の形状を、第４区間の両端の入力濃度値に対する曲線値V(YMｉ),V(YMｉ＋１)を両端とする第５区間ΔV(YMｉ)内にある前記基準補正曲線の形状を濃度値軸方向Ｘに伸長または圧縮した形状と一致させる補間演算によって、前記第４区間ΔXB(YMｉ)内の入力濃度値に対する前記補正曲線上の補正値を算出して、作成されており、
前記階調補正処理手段は、
前記第１の補正量の決定時に、
前記読取らせた濃度YMｉを前記目標特性曲線と比較し、比較結果に基づいて第１の補正量を決定し、
前記指定濃度値の画像パターンの読取られた濃度が、前記画像入力手段が読取りを誤り易い予め定める濃度範囲外にある場合、該濃度を用いた補正値の算出を行い、
前記指定濃度値の画像パターンの読取られた濃度が前記濃度範囲内にある場合、該濃度を用いた補正値の算出を停止することを特徴とする画像処理装置。
【請求項６】
画像を入力する画像入力手段からの画像を構成する画素の入力濃度値が与えられ、入力された画像に対して補正曲線を用いた階調補正処理を施す階調補正処理手段を備え、
前記階調補正処理手段は、前記入力濃度値に対する前記補正曲線上の補正値を与え、階調補正処理が施された画像を画像出力手段に与える構成である画像処理装置において、
入力濃度値に対する補正値の予め定める変化を示す基準補正曲線を記憶している基準補正曲線記憶手段と、
入力濃度値の範囲内で相互に間隔を空けて指定された入力濃度値である複数の指定濃度値XPｉ,XPｉ＋１にそれぞれ対応して、該指定濃度値XPｉに対する前記基準補正曲線上の補正値YB(XPｉ)と、該指定濃度値に対する補正曲線上の補正値YP(XPｉ)との差であり、前記基準補正曲線を基に予め設定された補正量であって、前記画像出力手段の固有の出力特性に基づいた補正量である第１の補正量を記憶している補正量記憶手段と、
前記画像出力手段が出力する画像の画素の濃度の入力濃度値に対する予め定める変化を示す目標特性曲線を記憶している目標特性曲線記憶手段とを含み、
前記階調補正処理手段は、
階調補正処理に用いる補正曲線の作成のために、
前記指定濃度値XPｉ,XPｉ＋１に対する補正値YP(XPｉ),YP(XPｉ＋１)を、前記指定濃度値XPｉ,XPｉ＋１に対する前記基準補正曲線上の補正値と前記指定濃度値XPｉ,XPｉ＋１に対応する補正量とを加算して算出し、前記指定濃度値以外の入力濃度値に対する補正値を、前記指定濃度値XPｉ,XPｉ＋１に対する補正値YP(XPｉ),YP(XPｉ＋１)を用いた補間演算により算出し、
前記第１の補正量の決定時に、
（ａ）前記各指定濃度値XPｉの画像パターンに、前記基準補正曲線を用いた階調補正処理を施し、
（ｂ）階調補正処理された各指定濃度値XPｉの画像パターンを、前記画像出力手段によって出力され、
（ｃ）出力された各指定濃度値の画像パターンの濃度YMｉを、前記画像入力手段によって読取らせ、
（ｄ）読取らせた濃度YMｉを前記目標特性曲線と比較し、比較結果に基づいて第１の補正量を決定し、
前記指定濃度値の画像パターンの読取られた濃度が、前記画像入力手段が読取りを誤り易い予め定める濃度範囲外にある場合、該濃度を用いた補正値の算出を行い、
前記指定濃度値の画像パターンの読取られた濃度が前記濃度範囲内にある場合、該濃度を用いた補正値の算出を停止することを特徴とする画像処理装置。
【請求項７】
画像を入力する画像入力手段からの画像を構成する画素の入力濃度値が与えられ、入力された画像に対して補正曲線を用いた階調補正処理を施す階調補正処理手段を備え、
前記階調補正処理手段は、前記入力濃度値に対する前記補正曲線上の補正値を与え、階調補正処理が施された画像を画像出力手段に与える構成である画像処理装置において、
入力濃度値に対する補正値の予め定める変化を示す基準補正曲線を記憶している基準補正曲線記憶手段と、
入力濃度値の範囲内で相互に間隔を空けて指定された入力濃度値である複数の指定濃度値XPｉ,XPｉ＋１にそれぞれ対応して、該指定濃度値XPｉに対する前記基準補正曲線上の補正値YB(XPｉ)と、該指定濃度値に対する補正曲線上の補正値YP(XPｉ)との差であり、前記基準補正曲線を基に予め設定された補正量であって、前記画像出力手段の固有の出力特性に基づいた補正量である第１の補正量と、入力された調整量に基づいた補正量である第２の補正量との和である補正量を記憶している補正量記憶手段と、
画像の階調補正処理に関して設定される前記調整量を入力して前記補正量記憶手段に与える調整量入力手段と、
前記画像出力手段が出力する画像の画素の濃度の入力濃度値に対する予め定める変化を示す目標特性曲線を記憶している目標特性曲線記憶手段とを含み、
前記階調補正処理手段は、
階調補正処理に用いる補正曲線の作成のために、
前記指定濃度値XPｉ,XPｉ＋１に対する補正値YP(XPｉ),YP(XPｉ＋１)を、前記指定濃度値XPｉ,XPｉ＋１に対する前記基準補正曲線上の補正値と前記指定濃度値XPｉ,XPｉ＋１に対応する補正量とを加算して算出し、前記指定濃度値以外の入力濃度値に対する補正値を、前記指定濃度値XPｉ,XPｉ＋１に対する補正値YP(XPｉ),YP(XPｉ＋１)を用いた補間演算により算出し、
前記第１の補正量の決定時に、
（ａ）前記各指定濃度値XPｉの画像パターンに、前記基準補正曲線を用いた階調補正処理を施し、
（ｂ）階調補正処理された各指定濃度値XPｉの画像パターンを、前記画像出力手段によって出力され、
（ｃ）出力された各指定濃度値の画像パターンの濃度YMｉを、前記画像入力手段によって読取らせ、
（ｄ）読取らせた濃度YMｉを前記目標特性曲線と比較し、比較結果に基づいて第１の補正量を決定し、
前記指定濃度値の画像パターンの読取られた濃度が、前記画像入力手段が読取りを誤り易い予め定める濃度範囲外にある場合、該濃度を用いた補正値の算出を行い、
前記指定濃度値の画像パターンの読取られた濃度が前記濃度範囲内にある場合、該濃度を用いた補正値の算出を停止することを特徴とする画像処理装置。
【請求項８】
前記階調補正処理手段は、補間演算時に、
（ａ）前記指定濃度値に対する補正値YP(XPｉ),YP(XPｉ＋１)に対する基準補正曲線上の入力濃度値XB(YBｉ),XB(YBｉ＋１)を両端とする区間である第３区間ΔXBｉを算出し、
（ｂ）前記第３区間ΔXBｉの両端と前記第１区間ΔXPｉの両端とが一致するように、第３区間内の入力濃度値Jｉを第１区間内の入力濃度値XX(Jｉ)に対応付け、
（ｃ）前記第３区間内の入力濃度値Jｉに対する前記基準補正曲線上の補正値YB(Jｉ)を、該入力濃度値Jｉに対応付けられる前記第１区間内の入力濃度値XX(Jｉ)に対する補正値YP(XX(Jｉ) )として用いることを特徴とする請求項１〜５のうちの１つに記載の画像処理装置。
【請求項９】
前記階調補正処理手段は、前記第３区間内の入力濃度値Jｉに対応付ける前記第１区間内の入力濃度値XX(Jｉ)の決定時に、
（ａ）前記第３の区間の幅XB(YBｉ＋１)-XB(YBｉ)に対する前記第１の区間の幅XPｉ＋１-XPｉの比率と、該第３区間の一方端から該第３区間内の入力濃度値までの距離Jｉ-XB(YBｉ)との積に、前記第１の区間の一方端の指定濃度値XPｉを加算した値を算出し、
（ｂ）算出された和を予め定める桁数に丸め、丸められた値と等しい前記第１区間内の入力濃度値XX(Jｉ)を、前記第３区間内の入力濃度値Jｉに対応付けることを特徴とする請求項８記載の画像処理装置。
【請求項１０】
前記階調補正処理手段は、前記第１の区間ΔXPｉ内の補正曲線の形状が前記基準補正曲線の前記第２の区間ΔYBｉ内の部分を濃度値軸に平行な方向Ｘに伸長した形状となる補間演算を行う場合、
前記第１の区間内の全入力濃度値のうち、前記第３の区間内の入力濃度値Jｉに対応付けられる入力濃度値XX(Jｉ)以外の残余の入力濃度値に対する前記補正曲線上の補正値を、補間演算によって求めることを特徴とする請求項８記載の画像処理装置。
【請求項１１】
前記階調補正処理手段は、前記第１の区間ΔXPｉ内の補正曲線の形状が前記基準補正曲線の前記第２の区間ΔYBｉ内の部分を濃度値軸に平行な方向Ｘに圧縮した形状となる補間演算を行う場合、
前記第１の区間内の単一の入力濃度値XX(Jｉ)に前記第３の区間内の複数の入力濃度値が重複して対応付けられるとき、重複する前記第３の区間内の入力濃度値にそれぞれ対する基準補正曲線上の補正値のうち、最後に算出された補正値を、前記第１の区間内の入力濃度値XX(Jｉ)に対する補正値YP(XX(Jｉ))として用いることを特徴とする請求項９記載の画像処理装置。
【請求項１２】
前記階調補正処理手段は、前記第１の区間ΔXPｉ内の補正曲線の形状が前記基準補正曲線の前記第２の区間ΔYBｉ内の部分を濃度値軸に平行な方向Ｘに圧縮した形状となる補間演算を行う場合、
前記第１の区間内の単一の入力濃度値XX(Jｉ)に前記第３の区間内の複数の入力濃度値が重複して対応付けられるとき、重複する前記第３の区間内の入力濃度値にそれぞれ対する基準補正曲線上の補正値の中央値を、前記第１の区間内の入力濃度値XX(Jｉ)に対する補正値YP(XX(Jｉ))として用いることを特徴とする請求項９記載の画像処理装置。
【請求項１３】
前記複数の指定濃度値のうちの１つは、前記入力濃度値の範囲の下限濃度値であることを特徴とする請求項１〜７のうちの１つに記載の画像処理装置。
【請求項１４】
前記複数の指定濃度値のうちの１つは、前記入力濃度値の範囲の上限濃度値であることを特徴とする請求項１〜７のうちの１つに記載の画像処理装置。
【請求項１５】
前記階調補正処理手段は、前記補正曲線の作成時に、前記入力濃度値の範囲内の上限濃度値から予め定める第１の入力濃度値までの区間、および前記入力濃度値の範囲内の下限濃度値から予め定める第２の入力濃度値までの区間のうちの少なくとも一方にある各入力濃度値に対する補正値として、各入力濃度値毎に予め定められている値を常に用いることを特徴とする請求項１〜７のうちの１つに記載の画像処理装置。
【請求項１６】
前記基準補正曲線記憶手段が複数の前記基準補正曲線を記憶する場合、前記階調補正処理手段は、前記画像出力手段固有の出力特性に応じて、複数の基準補正曲線のうちのいずれか１つを選び、選ばれた基準補正曲線を前記補正曲線の作成に用いることを特徴とする請求項１〜７のうちの１つに記載の画像処理装置。
【請求項１７】
前記階調補正処理手段は、前記基準補正曲線の選択時に、
（ａ）前記複数の指定濃度値の画像パターンを、階調補正処理を施すことなく、前記画像出力手段によって出力させ、
（ｂ）出力された画像パターンの濃度値を、前記画像入力手段によって読取らせ、
（ｃ）読取られた濃度値を、前記各基準補正曲線と対応付けられた予め定める基準特性曲線と比較し、
（ｄ）読取られた濃度値に最も近い基準特性曲線に対応付けられる基準補正曲線を、選択することを特徴とする請求項１６記載の画像処理装置。
【請求項１８】
前記指定濃度値に対応する補正量は、前記画像出力手段の固有の出力特性に基づいた補正量である第１の補正量であることを特徴とする請求項３記載の画像処理装置。
【請求項１９】
画像の階調補正処理に関して設定される調整量を入力する調整量入力手段をさらに含み、
前記指定濃度値に対応する補正量は、入力された調整量に基づいた補正量である第２の補正量であることを特徴とする請求項３に記載の画像処理装置。
【請求項２０】
画像の階調補正処理に関して設定される調整量を入力する調整量入力手段をさらに含み、
前記指定濃度値に対応する補正量は、前記画像出力手段の固有の出力特性に基づいた補正量である第１の補正量と、入力された調整量に基づいた補正量である第２の補正量との和であることを特徴とする請求項３記載の画像処理装置。
【請求項２１】
前記調整量入力手段から複数の調整量が入力される場合、前記第２の補正量は、各調整量毎に定められる補正量の総和であることを特徴とする請求項１９または２０に記載の画像処理装置。
【請求項２２】
前記階調補正処理手段は、前記読取られた各指定濃度値の画像パターンの濃度YMｉと前記目標特性曲線との比較時に、
（ａ）各指定濃度値の画像パターンの濃度YMｉに対する前記目標特性曲線上の入力濃度値XB(YMｉ)を算出し、
（ｂ）算出された入力濃度値XB(YMｉ)に対する補正値V(YMｉ)として、前記指定濃度値XPｉに対する基準補正曲線上の補正値YB(XPｉ)を用い、
（ｃ）指定濃度値の両側にあり補正値が算出されている入力濃度値XB(YMａ)，XB(YMｂ)を両端とする第４区間ΔXB(YMｉ)内の曲線の形状を、第４区間の両端の入力濃度値に対する補正値V(YMａ),V(YMｂ)を両端とする第５区間ΔV(YMa)を濃度値軸に平行な方向Ｘに伸長または圧縮した形状と一致させる補間演算によって、各指定濃度値XPｉに対する補正値V(XPｉ)を算出し、
（ｄ）算出された指定濃度値に対する補正値V(XPｉ)と、該指定濃度値に対する前記基準補正曲線上の補正値YB(XPｉ)との差を、該指定濃度値XPｉに対応する第１の補正量sｉとして用いることを特徴とする請求項１，２，４〜７のうちの１つに記載の画像処理装置。
【請求項２３】
前記階調補正処理手段は、
前記指定濃度値XPｉの画像パターンの読取られた濃度YMｉを該指定濃度値XPｉよりも大きい他の指定濃度値XPｉ＋１の画像パターンの読取られた濃度YMｉ＋１から減算した差が正の値である場合、前記濃度YMｉ，YMｉ＋１をそれぞれ用いた補正値の算出を行い、
前記差が負の値である場合、前記濃度YMｉ，YMｉ＋１をそれぞれ用いた補正値の算出を停止することを特徴とする請求項２２記載の画像処理装置。
【請求項２４】
前記階調補正処理手段は、
前記指定濃度値XPｉの画像パターンの読取られた濃度YMｉを該指定濃度値XPｉよりも大きい他の指定濃度値XPｉ＋１の画像パターンの読取られた濃度YMｉ＋１から減算した差が正の値である場合、前記濃度YMｉ，YMｉ＋１をそれぞれ用いた補正値の算出を行い、
前記差が負の値である場合、
前記指定濃度値の濃度YMｉおよび前記他の指定濃度値の濃度YMｉ＋１の２つの平均濃度を算出し、
前記平均濃度に対する目標特性曲線上の入力濃度値を算出し、
算出された入力濃度値に対する補正値として、前記指定濃度値XPｉおよび他の指定濃度値XPｉ＋１の平均の入力濃度値に対応する前記基準補正曲線上の補正値を用いることを特徴とする請求項２２記載の画像処理装置。
【請求項２５】
前記画像がカラー画像である場合、前記基準補正曲線および前記指定濃度値に対応する補正量は、複数の各色成分毎に設定されていることを特徴とする請求項１〜７のうちの１つに記載の画像処理装置。
【請求項２６】
請求項１〜２５のうちの１つに記載の画像処理装置を含むことを特徴とする画像形成装置。
【発明の詳細な説明】
【０００１】
【発明が属する技術分野】
本発明は、デジタルカラー複写機等のデジタルカラー画像形成装置に用いられる画像処理装置およびそれを備える画像形成装置に関し、特に階調補正処理に関する。
【０００２】
【従来の技術】
階調補正処理に関する従来技術は、特開平４−１８０３５４号公報に開示されている。前記公報の濃度補正装置を備えたデジタル複写機は、電子写真方式の印刷機を備える。前記印刷機内において、感光フィルムは変調された光ビームによって露光され、光ビームの変調は光変調信号によって制御される。前記濃度補正装置は、処理対象の画像信号を光変調信号に変換するのと同時に、階調補正処理を行う。このために前記濃度補正装置は、予め設定されるデジタル複写機の所望特性と、予め定める基準変換テーブルとを記憶している。前記所望特性は、画像信号の濃度値に対する記録濃度の変化を示す。前記基準変換テーブルは、画像信号内の濃度値に対する光変調信号の値の予め定める変化を示す基準の補正曲線である。
【０００３】
前記濃度補正装置は、画像信号の処理時に実際に用いる補正曲線である信号変換テーブルの作成のために、以下の手順の処理を行う。まず濃度補正装置は、濃度値が相互に異なる複数の基準画像信号を発生させ、基準変換テーブルに基づいて各基準画像信号を光変調信号にそれぞれ変換し、印刷機に与える。印刷機は、各光変調信号に基づいて光ビームを変調し、該光ビームを用いて感光フィルムを露光し、露光後の感光フィルムを現像することによって、各基準画像信号に対応する記録画像を印刷する。濃度補正装置は、印刷された各記録画像の濃度を測定し、各濃度に対する前記所望特性上の濃度値を求める。
【０００４】
次いで濃度補正装置は、各記録画像の濃度に対する前記所望特性上の濃度値に対する前記基準変換テーブル上の光変調信号の値と、該各記録画像に対応する基準画像信号の濃度値に対する該基準変換テーブル上の光変調信号の値との偏差を、算出する。次いで濃度補正装置は、求められた基準画像信号の濃度値の偏差を用いた補間処理を行い、基準画像信号の濃度値以外の他の濃度値の偏差を得て、濃度値の偏差を連続的なデータにする。前記補間処理は、一般的に公知の補間処理であり、スプライン補間法、直線補間法と平滑化法との組合わせ、またはｎ次関数近似法で実現される。
【０００５】
最後に前記濃度補正装置は、基準変換テーブルを補正して、信号変換テーブル上の値を得る。各記録画像の濃度に対する前記所望特性上の濃度値に対する信号変換テーブル上の補正値には、該各記録画像に対応する基準画像信号の濃度値に対する基準補正曲線上の光変調信号の値が代入される。各記録画像の濃度に対する前記所望特性上の濃度値以外の他の濃度値に対する信号変換テーブル上の補正値は、基準変換テーブルを連続的な偏差のデータに基づいて補正することによって、得られる。以上の処理の結果得られた信号変換テーブルが、濃度補正装置で実際に用いられる。
【０００６】
【発明が解決しようとする課題】
上述の特開平４−１８０３５４号公報の濃度補正装置は、連続的な濃度値の偏差のデータを得るために、補間処理を行う。補間処理は、スプライン補間法、直線補間法と平滑化法との組合わせ、またはｎ次関数近似法で実現されている。これらの公知の補間法が用いられる場合、偏差の補間処理の際に基準変換テーブルが参照されない。これによって信号変換テーブルの出力特性が信頼性に欠けるものになり易い。
【０００７】
本発明の目的は、階調補正処理で実際に用いられる補正曲線の出力特性の信頼性を向上することができる画像処理装置およびその画像処理装置を含む画像形成装置を提供することである。
【０００８】
【課題を解決するための手段】
本発明は、画像を入力する画像入力手段からの画像を構成する画素の入力濃度値が与えられ、入力された画像に対して補正曲線を用いた階調補正処理を施す階調補正処理手段を備え、
前記階調補正処理手段は、前記入力濃度値に対する前記補正曲線上の補正値を与え、階調補正処理が施された画像を画像出力手段に与える構成である画像処理装置において、
入力濃度値に対する補正値の予め定める変化を示す基準補正曲線を記憶している基準補正曲線記憶手段と、
入力濃度値の範囲内で相互に間隔を空けて指定された入力濃度値である複数の指定濃度値XPｉ,XPｉ＋１にそれぞれ対応して、該指定濃度値XPｉに対する前記基準補正曲線上の補正値YB(XPｉ)と、該指定濃度値に対する補正曲線上の補正値YP(XPｉ)との差であり、前記基準補正曲線を基に予め設定された補正量であって、前記画像出力手段の固有の出力特性に基づいた補正量である第１の補正量を記憶している補正量記憶手段と、
前記画像出力手段が出力する画像の画素の濃度の入力濃度値に対する予め定める変化を示す目標特性曲線を記憶している目標特性曲線記憶手段とを含み、
前記階調補正処理手段は、
階調補正処理に用いる補正曲線の作成のために、
（ａ）前記指定濃度値XPｉ,XPｉ＋１に対する補正値YP(XPｉ),YP(XPｉ＋１)を、前記指定濃度値XPｉ,XPｉ＋１に対する前記基準補正曲線上の補正値と前記指定濃度値XPｉ,XPｉ＋１に対応する補正量とを加算して算出し、
（ｂ）前記指定濃度値XPｉ,XPｉ＋１両端とする区間である第１区間ΔXPｉ内にある前記補正曲線の形状を、前記指定濃度値に対する補正値YP(XPｉ),YP(XPｉ＋１)を両端とする区間である第２区間ΔYBｉ内にある基準補正曲線の形状を濃度値軸に平行な方向Ｘに伸長または圧縮した形状と一致させる補間演算によって、前記指定濃度値以外の入力濃度値に対する補正値を算出し、
前記第１の補正量の決定時に、
（ｃ）前記各指定濃度値XPｉの画像パターンに、前記基準補正曲線を用いた階調補正処理を施し、
（ｄ）階調補正処理された各指定濃度値XPｉの画像パターンを、前記画像出力手段によって出力され、
（ｅ）出力された各指定濃度値の画像パターンの濃度YMｉを、前記画像入力手段によって読取らせ、
（ｆ）読取らせた濃度YMｉを前記目標特性曲線と比較し、比較結果に基づいて第１の補正量を決定し、
前記指定濃度値の画像パターンの読取られた濃度が、前記画像入力手段が読取りを誤り易い予め定める濃度範囲外にある場合、該濃度を用いた補正値の算出を行い、
前記指定濃度値の画像パターンの読取られた濃度が前記濃度範囲内にある場合、該濃度を用いた補正値の算出を停止することを特徴とする画像処理装置である。
【０００９】
本発明に従えば、前記画像処理装置において、階調補正処理手段は、補間演算線形補間法を用いた場合よりは滑らかな補正曲線を、スプライン補間法またはｎ次関数近似法を用いた場合よりも簡易な計算で高速に作成することができる。
また、指定濃度値を両端とする第１区間毎の補正曲線の出力特性は、第１区間の両端と同じ指定濃度値に対する補正曲線上の補正値を両端とする第２区間の基準補正曲線の出力特性と相似になる。これによって、基準補正曲線に基づく出力特性がほぼ線形である出力区間は、作成された補正曲線に基づく補正が成された後も、ほぼ線形な出力特性を有する。
【００１０】
前記指定濃度値に対応する補正量は、前記画像出力手段の固有の出力特性に基づいた補正量である第１の補正量であるので、前記画像処理装置内の階調補正処理手段は、画像出力手段固有の出力特性に基づいた適切なγ補正処理を行うことができる。
【００１２】
画像処理装置は、前記画像出力手段が出力する画像の画素の濃度の入力濃度値に対する予め定める変化を示す目標特性曲線を記憶している目標特性曲線記憶手段をさらに含み、
前記階調補正処理手段は、前記第１の補正量の決定時に、
（ａ）前記各指定濃度値XPｉの画像パターンに、前記基準補正曲線を用いた階調補正処理を施し、
（ｂ）階調補正処理された各指定濃度値XPｉの画像パターンを、前記画像出力手段によって出力され、
（ｃ）出力された各指定濃度値の画像パターンの濃度YMｉを、前記画像入力手段によって読取らせ、
（ｄ）読取らせた濃度YMｉを前記目標特性曲線と比較し、比較結果に基づいて第１の補正量を決定するので、前記画像処理装置内の前記階調補正処理手段は、画像出力手段固有の出力特性に対して最も適切な第１の補正量を、設定することができる。
【００１３】
前記階調補正処理手段は、
前記指定濃度値の画像パターンの読取られた濃度が、前記画像入力手段が読取りを誤り易い予め定める濃度範囲外にある場合、該濃度を用いた補正値の算出を行い、
前記指定濃度値の画像パターンの読取られた濃度が前記濃度範囲内にある場合、該濃度を用いた補正値の算出を停止するので、前記画像処理装置内の階調補正処理手段は、画像パターンの読取り時に、画像入力手段によって正確に区別することの難しい濃度が得られた場合、該濃度を用いた補正値の算出を停止する。
区別の難しい濃度としては、画像入力手段が読取り可能な濃度の範囲において、下限濃度よりも僅かに高い濃度、および飽和濃度よりも僅かに低い濃度が挙げられる。下限濃度よりも僅かに高い濃度の画像パターンは、人の目から見て薄い色になる。飽和濃度よりも僅かに低い濃度の画像パターンは、人の目から見て飽和濃度よりもやや薄い色になる。画像入力手段は、下限濃度よりも僅かに高い濃度の画像パターンの濃度を、誤って下限濃度として読取ってしまう。画像入力手段は、飽和濃度よりも僅かに低い濃度の画像パターンの濃度を、誤って飽和濃度であると認識してしまう。
区別の難しい濃度を用いた補正値の算出が行われないので、画像出力手段が出力可能な濃度の範囲内の低濃度部および高濃度部内にある指定濃度値に対応する第１の補正量は、より適切なものになる。
【００１４】
また本発明は、画像を入力する画像入力手段からの画像を構成する画素の入力濃度値が与えられ、入力された画像に対して補正曲線を用いた階調補正処理を施す階調補正処理手段を備え、
前記階調補正処理手段は、前記入力濃度値に対する前記補正曲線上の補正値を与え、階調補正処理が施された画像を画像出力手段に与える構成である画像処理装置において、
入力濃度値に対する補正値の予め定める変化を示す基準補正曲線を記憶している基準補正曲線記憶手段と、
入力濃度値の範囲内で相互に間隔を空けて指定された入力濃度値である複数の指定濃度値XPｉ,XPｉ＋１にそれぞれ対応して、該指定濃度値XPｉに対する前記基準補正曲線上の補正値YB(XPｉ)と、該指定濃度値に対する補正曲線上の補正値YP(XPｉ)との差であり、前記基準補正曲線を基に予め設定された補正量であって、前記画像出力手段の固有の出力特性に基づいた補正量である第１の補正量と、入力された調整量に基づいた補正量である第２の補正量との和である補正量を記憶している補正量記憶手段と、
画像の階調補正処理に関して設定される前記調整量を入力して前記補正量記憶手段に与える調整量入力手段と、
前記画像出力手段が出力する画像の画素の濃度の入力濃度値に対する予め定める変化を示す目標特性曲線を記憶している目標特性曲線記憶手段とを含み、
前記階調補正処理手段は、
階調補正処理に用いる補正曲線の作成のために、
（ａ）前記指定濃度値XPｉ,XPｉ＋１に対する補正値YP(XPｉ),YP(XPｉ＋１)を、前記指定濃度値XPｉ,XPｉ＋１に対する前記基準補正曲線上の補正値と前記指定濃度値XPｉ,XPｉ＋１に対応する補正量とを加算して算出し、
（ｂ）前記指定濃度値XPｉ,XPｉ＋１両端とする区間である第１区間ΔXPｉ内にある前記補正曲線の形状を、前記指定濃度値に対する補正値YP(XPｉ),YP(XPｉ＋１)を両端とする区間である第２区間ΔYBｉ内にある基準補正曲線の形状を濃度値軸に平行な方向Ｘに伸長または圧縮した形状と一致させる補間演算によって、前記指定濃度値以外の入力濃度値に対する補正値を算出し、
前記第１の補正量の決定時に、
（ｃ）前記各指定濃度値XPｉの画像パターンに、前記基準補正曲線を用いた階調補正処理を施し、
（ｄ）階調補正処理された各指定濃度値XPｉの画像パターンを、前記画像出力手段によって出力され、
（ｅ）出力された各指定濃度値の画像パターンの濃度YMｉを、前記画像入力手段によって読取らせ、
（ｆ）読取らせた濃度YMｉを前記目標特性曲線と比較し、比較結果に基づいて第１の補正量を決定し、
前記指定濃度値の画像パターンの読取られた濃度が、前記画像入力手段が読取りを誤り易い予め定める濃度範囲外にある場合、該濃度を用いた補正値の算出を行い、
前記指定濃度値の画像パターンの読取られた濃度が前記濃度範囲内にある場合、該濃度を用いた補正値の算出を停止することを特徴とする画像処理装置である。
本発明に従えば、画像処理装置は、画像の階調補正処理に関して設定される調整量を入力する調整量入力手段をさらに含み、
前記指定濃度値に対応する補正量は、前記画像出力手段の固有の出力特性に基づいた補正量である第１の補正量と、入力された調整量に基づいた補正量である第２の補正量との和であるので、前記画像処理装置内の階調補正処理手段は、画像出力手段固有の出力特性に基づいた適切なγ補正処理を行うことができ、かつ調整量に基づいた濃度値の補正処理を行うことができる。
【００１５】
また本発明は、画像を入力する画像入力手段からの画像を構成する画素の入力濃度値が与えられ、入力された画像に対して補正曲線を用いた階調補正処理を施す階調補正処理手段を備え、
前記階調補正処理手段は、前記入力濃度値に対する前記補正曲線上の補正値を与え、階調補正処理が施された画像を画像出力手段に与える構成である画像処理装置において、
入力濃度値に対する補正値の予め定める変化を示す基準補正曲線を記憶している基準補正曲線記憶手段と、
入力濃度値の範囲内で相互に間隔を空けて指定された入力濃度値である複数の指定濃度値XPｉ,XPｉ＋１にそれぞれ対応して、該指定濃度値XPｉに対する前記基準補正曲線上の補正値YB(XPｉ)と、該指定濃度値に対する補正曲線上の補正値YP(XPｉ)との差であり、前記基準補正曲線を基に予め設定された補正量を記憶している補正量記憶手段と、
前記画像に対して、ディザ方式の中間調補正処理を施す中間調補正処理手段とを含み、
前記階調補正処理手段は、
階調補正処理に用いる補正曲線の作成のために、
（ａ）前記指定濃度値XPｉ,XPｉ＋１に対する補正値YP(XPｉ),YP(XPｉ＋１)を、前記指定濃度値XPｉ,XPｉ＋１に対する前記基準補正曲線上の補正値と前記指定濃度値XPｉ,XPｉ＋１に対応する補正量とを加算して算出し、
（ｂ）前記指定濃度値XPｉ,XPｉ＋１両端とする区間である第１区間ΔXPｉ内にある前記補正曲線の形状を、前記指定濃度値に対する補正値YP(XPｉ),YP(XPｉ＋１)を両端とする区間である第２区間ΔYBｉ内にある基準補正曲線の形状を濃度値軸に平行な方向Ｘに伸長または圧縮した形状と一致させる補間演算によって、前記指定濃度値以外の入力濃度値に対する補正値を算出し、
前記基準補正曲線および前記指定濃度値に対応する補正量は、前記中間調補正処理手段が用いることができるディザマトリクスのサイズ毎に設定されていることを特徴とする画像処理装置である。
本発明に従えば、画像処理装置は、前記画像に対して、ディザ方式の中間調補正処理を施す中間調補正処理手段をさらに含み、
前記基準補正曲線および前記指定濃度値に対応する補正量は、前記中間調補正処理手段が用いることができるディザマトリクスのサイズ毎に設定されているので、前記画像処理装置内の前記階調補正処理手段は、各ディザマトリクスのサイズ毎に適切な階調補正処理を行うことができる。
【００１６】
また本発明は、画像を入力する画像入力手段からの画像を構成する画素の入力濃度値が与えられ、入力された画像に対して補正曲線を用いた階調補正処理を施す階調補正処理手段を備え、
前記階調補正処理手段は、前記入力濃度値に対する前記補正曲線上の補正値を与え、階調補正処理が施された画像を画像出力手段に与える構成である画像処理装置において、
入力濃度値に対する補正値の予め定める変化を示す基準補正曲線を記憶している基準補正曲線記憶手段と、
入力濃度値の範囲内で相互に間隔を空けて指定された入力濃度値である複数の指定濃度値XPｉ,XPｉ＋１にそれぞれ対応して、該指定濃度値XPｉに対する前記基準補正曲線上の補正値YB(XPｉ)と、該指定濃度値に対する補正曲線上の補正値YP(XPｉ)との差であり、前記基準補正曲線を基に予め設定された補正量であって、前記画像出力手段の固有の出力特性に基づいた補正量である第１の補正量を記憶している補正量記憶手段と、
前記画像出力手段が出力する画像の画素の濃度の入力濃度値に対する予め定める変化を示す目標特性曲線を記憶している目標特性曲線記憶手段と、
前記補正曲線を記憶する補正曲線記憶手段とを含み、
前記補正曲線は、入力濃度値に対する補正値の変化を示し、
入力濃度値に対する補正値の予め定める変化を示す基準補正曲線と、
前記画像出力手段が出力する画素の濃度の入力濃度値に対する予め定める変化を示す目標特性曲線とに基づいて、
（ａ）入力濃度値の範囲内で相互に間隔をあけて指定された入力濃度値である複数の各指定濃度値XPｉ，XPｉ＋１の画像パターンに、前記基準補正曲線を用いた階調補正処理を施し、
（ｂ）階調補正処理された各指定濃度値XPｉ，XPｉ＋１の画像パターンを、前記画像出力手段によって出力させ、
（ｃ）出力された各指定濃度値XPｉ，XPｉ＋１の画像パターンの濃度YMｉ，YMｉ＋１を読取らせ、
（ｄ）各指定濃度値の画像パターンの濃度YMｉ，YMｉ＋１に対する前記目標特性曲線上の入力濃度値XB(YMｉ)，XB(YMｉ＋１)を算出し、
（ｅ）算出された入力濃度値XB(YMｉ)，XB(YMｉ＋１)に対する補正値YP(YMｉ),YP(YMｉ＋１)として、前記指定濃度値XPｉ，XPｉ＋１に対する前記基準補正曲線上の補正値YB(XPｉ)，YB(XPｉ＋１)を採用し、
（ｆ）算出された入力濃度値XB(YMｉ)，XB(YMｉ＋１)を両端とする第４区間ΔXB(YMi)内にある補正曲線の形状を、第４区間の両端の入力濃度値に対する曲線値V(YMｉ),V(YMｉ＋１)を両端とする第５区間ΔV(YMｉ)内にある前記基準補正曲線の形状を濃度値軸方向Ｘに伸長または圧縮した形状と一致させる補間演算によって、前記第４区間ΔXB(YMｉ)内の入力濃度値に対する前記補正曲線上の補正値を算出して、作成されており、
前記階調補正処理手段は、
前記第１の補正量の決定時に、
前記読取らせた濃度YMｉを前記目標特性曲線と比較し、比較結果に基づいて第１の補正量を決定し、
前記指定濃度値の画像パターンの読取られた濃度が、前記画像入力手段が読取りを誤り易い予め定める濃度範囲外にある場合、該濃度を用いた補正値の算出を行い、
前記指定濃度値の画像パターンの読取られた濃度が前記濃度範囲内にある場合、該濃度を用いた補正値の算出を停止することを特徴とする画像処理装置である。
また本発明は、画像を入力する画像入力手段からの画像を構成する画素の入力濃度値が与えられ、入力された画像に対して補正曲線を用いた階調補正処理を施す階調補正処理手段を備え、
前記階調補正処理手段は、前記入力濃度値に対する前記補正曲線上の補正値を与え、階調補正処理が施された画像を画像出力手段に与える構成である画像処理装置において、
入力濃度値に対する補正値の予め定める変化を示す基準補正曲線を記憶している基準補正曲線記憶手段と、
入力濃度値の範囲内で相互に間隔を空けて指定された入力濃度値である複数の指定濃度値XPｉ,XPｉ＋１にそれぞれ対応して、該指定濃度値XPｉに対する前記基準補正曲線上の補正値YB(XPｉ)と、該指定濃度値に対する補正曲線上の補正値YP(XPｉ)との差であり、前記基準補正曲線を基に予め設定された補正量であって、前記画像出力手段の固有の出力特性に基づいた補正量である第１の補正量と、入力された調整量に基づいた補正量である第２の補正量との和である補正量を記憶している補正量記憶手段と、
画像の階調補正処理に関して設定される前記調整量を入力して前記補正量記憶手段に与える調整量入力手段と、
前記画像出力手段が出力する画像の画素の濃度の入力濃度値に対する予め定める変化を示す目標特性曲線を記憶している目標特性曲線記憶手段と、
前記補正曲線を記憶する補正曲線記憶手段とを含み、
前記補正曲線は、入力濃度値に対する補正値の変化を示し、
入力濃度値に対する補正値の予め定める変化を示す基準補正曲線と、
前記画像出力手段が出力する画素の濃度の入力濃度値に対する予め定める変化を示す目標特性曲線とに基づいて、
（ａ）入力濃度値の範囲内で相互に間隔をあけて指定された入力濃度値である複数の各指定濃度値XPｉ，XPｉ＋１の画像パターンに、前記基準補正曲線を用いた階調補正処理を施し、
（ｂ）階調補正処理された各指定濃度値XPｉ，XPｉ＋１の画像パターンを、前記画像出力手段によって出力させ、
（ｃ）出力された各指定濃度値XPｉ，XPｉ＋１の画像パターンの濃度YMｉ，YMｉ＋１を読取らせ、
（ｄ）各指定濃度値の画像パターンの濃度YMｉ，YMｉ＋１に対する前記目標特性曲線上の入力濃度値XB(YMｉ)，XB(YMｉ＋１)を算出し、
（ｅ）算出された入力濃度値XB(YMｉ)，XB(YMｉ＋１)に対する補正値YP(YMｉ),YP(YMｉ＋１)として、前記指定濃度値XPｉ，XPｉ＋１に対する前記基準補正曲線上の補正値YB(XPｉ)，YB(XPｉ＋１)を採用し、
（ｆ）算出された入力濃度値XB(YMｉ)，XB(YMｉ＋１)を両端とする第４区間ΔXB(YMi)内にある補正曲線の形状を、第４区間の両端の入力濃度値に対する曲線値V(YMｉ),V(YMｉ＋１)を両端とする第５区間ΔV(YMｉ)内にある前記基準補正曲線の形状を濃度値軸方向Ｘに伸長または圧縮した形状と一致させる補間演算によって、前記第４区間ΔXB(YMｉ)内の入力濃度値に対する前記補正曲線上の補正値を算出して、作成されており、
前記階調補正処理手段は、
前記第１の補正量の決定時に、
前記読取らせた濃度YMｉを前記目標特性曲線と比較し、比較結果に基づいて第１の補正量を決定し、
前記指定濃度値の画像パターンの読取られた濃度が、前記画像入力手段が読取りを誤り易い予め定める濃度範囲外にある場合、該濃度を用いた補正値の算出を行い、
前記指定濃度値の画像パターンの読取られた濃度が前記濃度範囲内にある場合、該濃度を用いた補正値の算出を停止することを特徴とする画像処理装置である。
【００１７】
本発明に従えば、前記画像処理装置において、階調補正処理手段が用いる補正曲線は、補間演算に線形補間法を用いて作成された補正曲線よりも滑らかになっており、補間演算にスプライン補間法またはｎ次関数近似法を用いて作成された補正曲線と同じくらい滑らかになっている。補正曲線は、スプライン補間法またはｎ次関数近似法を用いた補間演算よりも比較的簡易な計算で高速に作成することができる。指定濃度値を両端とする第１区間毎の補正曲線の出力特性は、第１区間の両端と同じ指定濃度値に対する補正曲線上の補正値を両端とする第２区間の基準補正曲線の出力特性と相似になる。これによって、基準補正曲線に基づく出力特性がほぼ線形である出力区間は、作成された補正曲線に基づく補正が成された後も、ほぼ線形な出力特性を有する。また画像処理装置は、補正曲線自体を予め作成して記憶しているので、第１の発明の画像処理装置よりも、補正曲線を作成する時間の分だけ速く、階調補正処理を行うことができる。
【００１８】
また本発明は、画像を入力する画像入力手段からの画像を構成する画素の入力濃度値が与えられ、入力された画像に対して補正曲線を用いた階調補正処理を施す階調補正処理手段を備え、
前記階調補正処理手段は、前記入力濃度値に対する前記補正曲線上の補正値を与え、階調補正処理が施された画像を画像出力手段に与える構成である画像処理装置において、
入力濃度値に対する補正値の予め定める変化を示す基準補正曲線を記憶している基準補正曲線記憶手段と、
入力濃度値の範囲内で相互に間隔を空けて指定された入力濃度値である複数の指定濃度値XPｉ,XPｉ＋１にそれぞれ対応して、該指定濃度値XPｉに対する前記基準補正曲線上の補正値YB(XPｉ)と、該指定濃度値に対する補正曲線上の補正値YP(XPｉ)との差であり、前記基準補正曲線を基に予め設定された補正量であって、前記画像出力手段の固有の出力特性に基づいた補正量である第１の補正量を記憶している補正量記憶手段と、
前記画像出力手段が出力する画像の画素の濃度の入力濃度値に対する予め定める変化を示す目標特性曲線を記憶している目標特性曲線記憶手段とを含み、
前記階調補正処理手段は、
階調補正処理に用いる補正曲線の作成のために、
前記指定濃度値XPｉ,XPｉ＋１に対する補正値YP(XPｉ),YP(XPｉ＋１)を、前記指定濃度値XPｉ,XPｉ＋１に対する前記基準補正曲線上の補正値と前記指定濃度値XPｉ,XPｉ＋１に対応する補正量とを加算して算出し、前記指定濃度値以外の入力濃度値に対する補正値を、前記指定濃度値XPｉ,XPｉ＋１に対する補正値YP(XPｉ),YP(XPｉ＋１)を用いた補間演算により算出し、
前記第１の補正量の決定時に、
（ａ）前記各指定濃度値XPｉの画像パターンに、前記基準補正曲線を用いた階調補正処理を施し、
（ｂ）階調補正処理された各指定濃度値XPｉの画像パターンを、前記画像出力手段によって出力され、
（ｃ）出力された各指定濃度値の画像パターンの濃度YMｉを、前記画像入力手段によって読取らせ、
（ｄ）読取らせた濃度YMｉを前記目標特性曲線と比較し、比較結果に基づいて第１の補正量を決定し、
前記指定濃度値の画像パターンの読取られた濃度が、前記画像入力手段が読取りを誤り易い予め定める濃度範囲外にある場合、該濃度を用いた補正値の算出を行い、
前記指定濃度値の画像パターンの読取られた濃度が前記濃度範囲内にある場合、該濃度を用いた補正値の算出を停止することを特徴とする画像処理装置である。
【００１９】
また本発明は、画像を入力する画像入力手段からの画像を構成する画素の入力濃度値が与えられ、入力された画像に対して補正曲線を用いた階調補正処理を施す階調補正処理手段を備え、
前記階調補正処理手段は、前記入力濃度値に対する前記補正曲線上の補正値を与え、階調補正処理が施された画像を画像出力手段に与える構成である画像処理装置において、
入力濃度値に対する補正値の予め定める変化を示す基準補正曲線を記憶している基準補正曲線記憶手段と、
入力濃度値の範囲内で相互に間隔を空けて指定された入力濃度値である複数の指定濃度値XPｉ,XPｉ＋１にそれぞれ対応して、該指定濃度値XPｉに対する前記基準補正曲線上の補正値YB(XPｉ)と、該指定濃度値に対する補正曲線上の補正値YP(XPｉ)との差であり、前記基準補正曲線を基に予め設定された補正量であって、前記画像出力手段の固有の出力特性に基づいた補正量である第１の補正量と、入力された調整量に基づいた補正量である第２の補正量との和である補正量を記憶している補正量記憶手段と、
画像の階調補正処理に関して設定される前記調整量を入力して前記補正量記憶手段に与える調整量入力手段と、
前記画像出力手段が出力する画像の画素の濃度の入力濃度値に対する予め定める変化を示す目標特性曲線を記憶している目標特性曲線記憶手段とを含み、
前記階調補正処理手段は、
階調補正処理に用いる補正曲線の作成のために、
前記指定濃度値XPｉ,XPｉ＋１に対する補正値YP(XPｉ),YP(XPｉ＋１)を、前記指定濃度値XPｉ,XPｉ＋１に対する前記基準補正曲線上の補正値と前記指定濃度値XPｉ,XPｉ＋１に対応する補正量とを加算して算出し、前記指定濃度値以外の入力濃度値に対する補正値を、前記指定濃度値XPｉ,XPｉ＋１に対する補正値YP(XPｉ),Y P(XPｉ＋１)を用いた補間演算により算出し、
前記第１の補正量の決定時に、
（ａ）前記各指定濃度値XPｉの画像パターンに、前記基準補正曲線を用いた階調補正処理を施し、
（ｂ）階調補正処理された各指定濃度値XPｉの画像パターンを、前記画像出力手段によって出力され、
（ｃ）出力された各指定濃度値の画像パターンの濃度YMｉを、前記画像入力手段によって読取らせ、
（ｄ）読取らせた濃度YMｉを前記目標特性曲線と比較し、比較結果に基づいて第１の補正量を決定し、
前記指定濃度値の画像パターンの読取られた濃度が、前記画像入力手段が読取りを誤り易い予め定める濃度範囲外にある場合、該濃度を用いた補正値の算出を行い、
前記指定濃度値の画像パターンの読取られた濃度が前記濃度範囲内にある場合、該濃度を用いた補正値の算出を停止することを特徴とする画像処理装置である。
【００２０】
また本発明は、前記階調補正処理手段は、補間演算時に、
（ａ）前記指定濃度値に対する補正値YP(XPｉ),YP(XPｉ＋１)に対する基準補正曲線上の入力濃度値XB(YBｉ),XB(YBｉ＋１)を両端とする区間である第３区間ΔXBｉを算出し、
（ｂ）前記第３区間ΔXBｉの両端と前記第１区間ΔXPｉの両端とが一致するように、第３区間内の入力濃度値Jｉを第１区間内の入力濃度値XX(Jｉ)に対応付け、
（ｃ）前記第３区間内の入力濃度値Jｉに対する前記基準補正曲線上の補正値YB(Jｉ)を、該入力濃度値Jｉに対応付けられる前記第１区間内の入力濃度値XX(Jｉ)に対する補正値YP(XX(Jｉ))として用いることを特徴とする。
【００２１】
本発明に従えば、前記画像処理装置において、階調補正処理手段は、第１区間内の入力濃度値に対する補正曲線上の補正値を、第３区間内の入力濃度値と該入力濃度値に対する補正曲線上の補正値とに基づいて、算出することができる。
【００２２】
また本発明は、前記階調補正処理手段は、前記第３区間内の入力濃度値Jｉに対応付ける前記第１区間内の入力濃度値XX(Jｉ)の決定時に、
（ａ）前記第３の区間の幅XB(YBｉ＋１)-XB(YBｉ)に対する前記第１の区間の幅XPｉ＋１-XPｉの比率と、該第３区間の一方端から該第３区間内の入力濃度値までの距離Jｉ-XB(YBｉ)との積に、前記第１の区間の一方端の指定濃度値XPｉを加算した値を算出し、
（ｂ）算出された和を予め定める桁数に丸め、丸められた値と等しい前記第１区間内の入力濃度値XX(Jｉ)を、前記第３区間内の入力濃度値Jｉに対応付けることを特徴とする。
【００２３】
本発明に従えば、前記画像処理装置において、階調補正処理手段は、入力濃度値の桁数が予め定められている場合、第１区間内の入力濃度値に対する補正曲線上の補正値を、第３区間内の入力濃度値と該入力濃度値に対する補正曲線上の補正値とに基づいて、算出することができる。
【００２４】
また本発明は、前記階調補正処理手段は、前記第１の区間ΔXPｉ内の補正曲線の形状が前記基準補正曲線の前記第２の区間ΔYBｉ内の部分を濃度値軸に平行な方向Ｘに伸長した形状となる補間演算を行う場合、
前記第１の区間内の全入力濃度値のうち、前記第３の区間内の入力濃度値Jｉに対応付けられる入力濃度値XX(Jｉ)以外の残余の入力濃度値に対する前記補正曲線上の補正値を、補間演算によって求めることを特徴とする。
【００２５】
本発明に従えば、前記画像処理装置において、第１区間が第３区間よりも広い場合、第１区間内の全入力濃度値のうちの一部が、第３区間内の入力濃度値に対応付けられない。階調補正処理手段は、第３区間内の入力濃度値に対応付けられていない第１区間内の入力濃度値に対する補正値を、補間演算によって、容易に求めることができる。
【００２６】
また本発明は、前記階調補正処理手段は、前記第１の区間ΔXPｉ内の補正曲線の形状が前記基準補正曲線の前記第２の区間ΔYBｉ内の部分を濃度値軸に平行な方向Ｘに圧縮した形状となる補間演算を行う場合、
前記第１の区間内の単一の入力濃度値XX(Jｉ)に前記第３の区間内の複数の入力濃度値が重複して対応付けられるとき、重複する前記第３の区間内の入力濃度値にそれぞれ対する基準補正曲線上の補正値のうち、最後に算出された補正値を、前記第１の区間内の入力濃度値XX(Jｉ)に対する補正値YP(XX(Jｉ))として用いることを特徴とする。
【００２７】
本発明に従えば、前記画像処理装置において、第１区間が第３区間よりも狭い場合、階調補正処理手段は、補正曲線をより速く作成することができる。
【００２８】
また本発明は、前記階調補正処理手段は、前記第１の区間ΔXPｉ内の補正曲線の形状が前記基準補正曲線の前記第２の区間ΔYBｉ内の部分を濃度値軸に平行な方向Ｘに圧縮した形状となる補間演算を行う場合、
前記第１の区間内の単一の入力濃度値XX(Jｉ)に前記第３の区間内の複数の入力濃度値が重複して対応付けられるとき、重複する前記第３の区間内の入力濃度値にそれぞれ対する基準補正曲線上の補正値の中央値を、前記第１の区間内の入力濃度値XX(Jｉ)に対する補正値YP(XX(Jｉ))として用いることを特徴とする。
【００２９】
本発明に従えば、前記画像処理装置において、第１区間が第３区間よりも狭い場合、基準補正曲線の第２区間内の部分を水平方向に圧縮した形状と比較して、階調補正処理手段によって作成される補正曲線の第１区間内の部分の形状が崩れにくくなっている。これによって階調補正処理手段は、さらに画像出力手段に適した補正曲線を作成することができる。
【００３０】
また本発明は、前記複数の指定濃度値のうちの１つは、前記入力濃度値の範囲の下限濃度値であることを特徴とする。
【００３１】
本発明に従えば、前記画像処理装置内の階調補正処理手段によって作成される補正曲線において、下限濃度値以外の他の指定濃度値よりも小さい入力濃度値に対する補正値が、より適切な値になる。これによって階調補正処理手段は、より適切な階調補正を行うことができる。
【００３２】
また本発明は、前記複数の指定濃度値のうちの１つは、前記入力濃度値の範囲の上限濃度値であることを特徴とする。
【００３３】
本発明に従えば、前記画像処理装置内の階調補正処理手段によって作成される補正曲線において、上限濃度値以外の他の指定濃度値よりも大きい入力濃度値に対する補正値が、より適切な値になる。これによって階調補正処理手段は、より適切な階調補正を行うことができる。
【００３４】
また本発明は、前記階調補正処理手段は、前記補正曲線の作成時に、前記入力濃度値の範囲内の上限濃度値から予め定める第１の入力濃度値までの区間、および前記入力濃度値の範囲内の下限濃度値から予め定める第２の入力濃度値までの区間のうちの少なくとも一方にある各入力濃度値に対する補正値として、各入力濃度値毎に予め定められている値を常に用いることを特徴とする。
【００３５】
本発明に従えば、前記画像処理装置は、上限濃度値から予め定める第１の入力濃度値までの区間内の各入力濃度値に対する補正曲線上の補正値が常に予め定められる値になっている場合、前記区間内の出力特性を予め定める特性（飽和濃度）に常に維持することができる。また画像処理装置は、下限濃度値から予め定める第２の入力濃度値までの区間内の各入力濃度値に対する補正曲線上の補正値が常に定められる値になっている場合、前記区間内の出力特性を予め定める特性（出力しない）に常に維持することができる。
【００３６】
また本発明は、前記基準補正曲線記憶手段が複数の前記基準補正曲線を記憶する場合、前記階調補正処理手段は、前記画像出力手段固有の出力特性に応じて、複数の基準補正曲線のうちのいずれか１つを選び、選ばれた基準補正曲線を前記補正曲線の作成に用いることを特徴とする。
【００３７】
本発明に従えば、前記画像処理装置において、画像出力手段固有の出力特性に応じて選ばれた基準補正曲線が、補正曲線の作成に用いられる。これによって前記階調補正処理手段は、画像出力手段固有の出力特性により適した補正曲線を、作成することができる。
【００３８】
また本発明は、前記階調補正処理手段は、前記基準補正曲線の選択時に、
（ａ）前記複数の指定濃度値の画像パターンを、階調補正処理を施すことなく、前記画像出力手段によって出力させ、
（ｂ）出力された画像パターンの濃度値を、前記画像入力手段によって読取らせ、
（ｃ）読取られた濃度値を、前記各基準補正曲線と対応付けられた予め定める基準特性曲線と比較し、
（ｄ）読取られた濃度値に最も近い基準特性曲線に対応付けられる基準補正曲線を、選択することを特徴とする。
【００３９】
本発明に従えば、前記画像処理装置内の階調補正処理手段は、画像出力手段固有の出力特性に対して最も適当な基準補正曲線を選択することができる。
本発明は、前述のディザ方式の中間調補正処理手段を含む画像処理装置において、前記指定濃度値に対応する補正量は、前記画像出力手段の固有の出力特性に基づいた補正量である第１の補正量であることを特徴とする。
本発明に従えば、前記指定濃度値に対応する補正量は、前記画像出力手段の固有の出力特性に基づいた補正量である第１の補正量であるので、前記画像処理装置内の階調補正処理手段は、画像出力手段固有の出力特性に基づいた適切なγ補正処理を行うことができる。
【００４０】
また本発明は、画像の階調補正処理に関して設定される調整量を入力する調整量入力手段をさらに含み、
前記指定濃度値に対応する補正量は、入力された調整量に基づいた補正量である第２の補正量であることを特徴とする。
【００４１】
本発明に従えば、前記画像処理装置において、指定濃度値に対応する補正量は、調整量に基づいて定められる。調整量が画像出力手段固有の出力特性に応じて設定されている場合、階調補正処理手段は、画像出力手段固有の出力特性に基づいた適切なγ補正処理を行うことができる。調整量が画像形成装置の利用者が望む濃度値の補正処理に関する調整量である場合、階調補正処理手段は、調整量に基づいた濃度値の補正処理を、γ補正処理（本発明では、調整量による補正は含まず、画像出力手段固有の出力特性を補正する場合、γ補正処理と称している。）と同時に行うことができる。
本発明は、前述のディザ方式の中間調補正処理手段を含む画像処理装置において、画像の階調補正処理に関して設定される調整量を入力する調整量入力手段をさらに含み、
前記指定濃度値に対応する補正量は、前記画像出力手段の固有の出力特性に基づいた補正量である第１の補正量と、入力された調整量に基づいた補正量である第２の補正量との和であることを特徴とする。
本発明に従えば、画像処理装置は、画像の階調補正処理に関して設定される調整量を入力する調整量入力手段をさらに含み、
前記指定濃度値に対応する補正量は、前記画像出力手段の固有の出力特性に基づいた補正量である第１の補正量と、入力された調整量に基づいた補正量である第２の補正量との和であるので、前記画像処理装置内の階調補正処理手段は、画像出力手段固有の出力特性に基づいた適切なγ補正処理を行うことができ、かつ調整量に基づいた濃度値の補正処理を行うことができる。
【００４２】
また本発明は、前記調整量入力手段から複数の調整量が入力される場合、前記第２の補正量は、各調整量毎に定められる補正量の総和であることを特徴とする。
【００４３】
本発明に従えば、前記画像処理装置内の階調補正処理手段は、補正量が重複して入力される場合、第２の補正量を容易に算出することができる。
【００４４】
また本発明は、前記階調補正処理手段は、前記読取られた各指定濃度値の画像パターンの濃度YMｉと前記目標特性曲線との比較時に、
（ａ）各指定濃度値の画像パターンの濃度YMｉに対する前記目標特性曲線上の入力濃度値XB(YMｉ)を算出し、
（ｂ）算出された入力濃度値XB(YMｉ)に対する補正値V(YMｉ)として、前記指定濃度値XPｉに対する基準補正曲線上の補正値YB(XPｉ)を用い、
（ｃ）指定濃度値の両側にあり補正値が算出されている入力濃度値XB(YMａ)，XB(YMｂ)を両端とする第４区間ΔXB(YMｉ)内の曲線の形状を、第４区間の両端の入力濃度値に対する補正値V(YMａ),V(YMｂ)を両端とする第５区間ΔV(YMa)を濃度値軸に平行な方向Ｘに伸長または圧縮した形状と一致させる補間演算によって、各指定濃度値XPｉに対する補正値V(XPｉ)を算出し、
（ｄ）算出された指定濃度値に対する補正値V(XPｉ)と、該指定濃度値に対する前記基準補正曲線上の補正値YB(XPｉ)との差を、該指定濃度値XPｉに対応する第１の補正量sｉとして用いることを特徴とする。
【００４５】
本発明に従えば、前記画像処理装置内の階調補正処理手段は、指定濃度値に対する曲線値（補正値）を、該指定濃度値を一端とする第１区間内にある基準補正曲線の形状に基づいた出力特性に応じた補間演算によって算出する。これによって階調補正処理手段は、画像出力手段固有の出力特性に基づいた第１の補正量として、より適切な補正量を算出することができる。
【００４６】
また本発明は、前記階調補正処理手段は、
前記指定濃度値XPｉの画像パターンの読取られた濃度YMｉを該指定濃度値XPｉよりも大きい他の指定濃度値XPｉ＋１の画像パターンの読取られた濃度YMｉ＋１から減算した差が正の値である場合、前記濃度YMｉ，YMｉ＋１をそれぞれ用いた補正値の算出を行い、
前記差が負の値である場合、前記濃度YMｉ，YMｉ＋１をそれぞれ用いた補正値の算出を停止することを特徴とする。
【００４７】
本発明に従えば、前記画像処理装置内の階調補正処理手段は、２つの指定濃度値の画像パターンの読取られた濃度の差が負の値である場合、該指定濃度値を用いた曲線値の算出を停止する。これは、前記差が負の値である場合、画像出力手段の不安定さ、または画像入力手段の濃度の測定誤差に起因して、画像パターンの読取られた濃度が不自然なものになっていると考えられるためである。前記差が負の値である場合、該差を用いた曲線値の算出が行われないので、階調補正処理手段は、より滑らかな補正曲線を作成することができる。
【００４８】
また本発明は、前記階調補正処理手段は、
前記指定濃度値XPｉの画像パターンの読取られた濃度YMｉを該指定濃度値XPｉよりも大きい他の指定濃度値XPｉ＋１の画像パターンの読取られた濃度YMｉ＋１から減算した差が正の値である場合、前記濃度YMｉ，YMｉ＋１をそれぞれ用いた補正値の算出を行い、
前記差が負の値である場合、
前記指定濃度値の濃度YMｉおよび前記他の指定濃度値の濃度YMｉ＋１の２つの平均濃度を算出し、
前記平均濃度に対する目標特性曲線上の入力濃度値を算出し、
算出された入力濃度値に対する補正値として、前記指定濃度値XPｉおよび他の指定濃度値XPｉ＋１の平均の入力濃度値に対応する前記基準補正曲線上の補正値を用いることを特徴とする。
【００４９】
本発明に従えば、前記画像処理装置内の階調補正処理手段は、２つの指定濃度値の画像パターンの読取られた濃度の差が負の値である場合、該濃度の平均濃度と該指定濃度値の平均の入力濃度値とを用いて補正値を求める。これによって階調補正処理手段は、第１補正量の算出時の補間演算において、補間演算に用いられるデータが少なくなりすぎることを防止することができる。
【００５０】
また本発明は、前記画像がカラー画像である場合、前記基準補正曲線および前記指定濃度値に対応する補正量は、複数の各色成分毎に設定されていることを特徴とする。
【００５１】
本発明に従えば、前記画像処理装置内の階調補正処理手段は、各色成分毎に適切な階調補正処理を行うことができる。
【００５２】
また本発明は、前述の画像処理装置を含むことを特徴とする画像形成装置である。
【００５４】
【発明の実施の形態】
図１は、本発明の実施の一形態に係る画像処理装置が備えられた画像形成装置１１の構成を示す正面断面の略図である。画像形成装置１１はデジタルカラー複写機で実現される。画像形成装置１の本体内部には、画像入力手段である画像入力装置１３と、画像処理装置１４と、画像出力手段である画像出力装置１５とが設けられる。画像形成装置１１の本体の上面には、透明な原稿台１１１と、操作パネル１６とが設けられる。
【００５５】
原稿台１１１の上面には、両面自動原稿送り装置（RADF:Reversing Automatic Document Feeder）１１２が装着されている。両面自動原稿送り装置１１２は、原稿台１１１に対して開閉可能な状態で支持され、かつ原稿台１１１の面に対して所定の位置関係を有する。両面自動原稿送り装置１１２は、まず原稿の一方の面が原稿台１１１の所定位置において画像入力装置１３に対向するように、原稿を搬送し、該一方の面についての読取りが終了した後に、原稿の他方の面が原稿台１１１の所定位置において画像入力装置１３に対向するように、原稿の表裏を反転させつつ原稿台１１１に向かって搬送する。両面自動原稿送り装置１１２における原稿の搬送動作および表裏反転の動作は、画像形成装置１１全体の動作に関連して制御される。
【００５６】
画像入力装置１３は、両面自動原稿送り装置１１２によって原稿台１１１上に搬送された原稿の画像を読取るために、原稿台１１１の下方に配置されている。画像入力装置１３は、原稿台１１１の下面に平行に往復移動する原稿走査体と、光学レンズ１１５と、光電変換素子であるＣＣＤ（Charge Coupled Device）ラインセンサ１１６とを有している。
【００５７】
前記原稿走査体は、第１の走査ユニット１１３と第２の走査ユニット１１４とから構成される。第１の走査ユニット１１３は、原稿表面を露光する露光ランプと、原稿からの反射光像を所定の第１の方向に向かって偏向する第１ミラーとを有する。第１の走査ユニット１１３は、原稿台１１１の下面に対して所定の距離を保ちながら、原稿台１１１の下面に平行に、往復移動する。第２の走査ユニット１１４は、第１の走査ユニット１１３の第１ミラーによって偏向された原稿からの反射光像を、所定の第２の方向に向かってさらに偏向するために、第２ミラーおよび第３ミラーを有する。第２の走査ユニット１１４は、第１の走査ユニット１１３と所定の速度関係を保ちつつ、原稿台１１１の下面に平行に、往復移動する。
【００５８】
光学レンズ１１５は、第２の走査ユニットの第３ミラーによって偏向された反射光像を縮小し、縮小された反射光像をＣＣＤラインセンサ１１６上の所定位置に結像させる。ＣＣＤラインセンサ１１６は、結像された反射光像を順次光電変換して、電気信号であるアナログ画像信号を出力する。画像形成装置１１に備えられるＣＣＤラインセンサ１１６は、具体的には３ラインのカラーＣＣＤラインセンサである。３ラインカラーＣＣＤラインセンサは、白黒画像またはカラー画像を読取り、反射光像を赤（Ｒ）、緑（Ｇ）、および青（Ｂ）の色成分の像に色分解して、これら３つの色成分の像に対応する信号から成る反射率信号を出力する。ＣＣＤラインセンサ１１６によって生成された反射率信号は、画像処理装置１４に与えられる。なお以後の説明において、赤・緑および青の３色を「ＲＧＢ」と総称する。
【００５９】
画像処理装置１４は、与えられたＲＧＢの反射率信号に、後述する所定の処理を施す。この結果、ＲＧＢの反射率信号は、シアン（Ｃ）、マゼンタ（Ｍ）、黄（Ｙ）、および黒（Ｋ）の色成分の像にそれぞれ対応する信号から成るデジタル画像信号（以後「画像データ」と称する）に変換される。なお以後の説明において、シアン・マゼンタ・黄・および黒の４色を「ＣＭＹＫ」と総称する。
【００６０】
画像出力装置１５の下方には、用紙トレイを備えた給紙機構２１１が設けられる。本実施の形態の画像形成装置１１では、記録媒体であるカットシート状の紙が、用紙Ｐとして用いられる。給紙機構２２１は、概略的には、前記用紙トレイ内の用紙Ｐを１枚ずつ分離して、画像出力装置１５に向かって供給する。また両面印刷が行われる場合、給紙機構２１１は、片面に画像が形成された用紙Ｐを、画像出力装置１５の画像形成タイミングに合わせて画像出力装置１５に再供給されるように、搬送する。給紙機構２２１において、用紙トレイから送り出された用紙Ｐが給紙機構２２１内の給紙搬送経路のガイド内に用紙Ｐが供給されると、給紙搬送経路内に設けられるセンサが、用紙Ｐの先端部分を検知して、検知信号を出力する。
【００６１】
画像出力装置１５の手前には、一対のレジストローラ２１２が、配置される。レジストローラ２１２は、給紙搬送経路内のセンサからの検知信号に基づいて、搬送される用紙Ｐを一旦停止させる。分離供給された用紙Ｐは、レジストローラ２１２によって制御される供給タイミングで、画像出力装置１５に搬送される。
【００６２】
画像出力装置１５内には、第１画像形成部Ｐａと、第２画像形成部Ｐｂと、第３画像形成部Ｐｃと、第４画像形成部Ｐｄと、転写搬送ベルト機構２１３と、定着装置２１７とが設けられる。転写搬送ベルト機構２１３は、画像出力装置１５内の下方部に配置される。転写搬送ベルト機構２１３は、駆動ローラ２１４と、従動ローラ２１５と、これらローラ２１４，２１５の間に略平行に伸びるように張架された転写搬送ベルト２１６とを有する。転写搬送ベルト２１６の下側に近接して、パターン画像検出ユニット２３２が設けられている。
【００６３】
第１画像形成部Ｐａ、第２画像形成部Ｐｂ、第３画像形成部Ｐｃ、および第４画像形成部Ｐｄは、画像出力装置１５内の転写搬送ベルト２１６の上方に、転写搬送ベルト２１６に近接して、用紙搬送経路の上流側から順に並設される。定着装置２１７は、用紙搬送路における転写搬送ベルト機構２１３の下流側に配置される。第１画像形成部Ｐａと給紙機構２１との間に、用紙吸着用帯電器２２８が設けられる。第４画像形成部Ｐｄと定着装置２１７との間でありかつ駆動ローラ２１４のほぼ真上の位置に、用紙剥離用の除電器２２９が設けられる。
【００６４】
転写搬送ベルト機構２１３は、概略的には、レジストローラ２１２によって供給された用紙Ｐを、転写搬送ベルト２１６に静電吸着させつつ搬送する構成になっており、具体的には以下のように動作する。用紙吸着用帯電器２２８は、転写搬送ベルト２１６の表面を帯電させる。転写搬送ベルト２１６は、駆動ローラ２１４によって、図１において矢印Ｚで示す方向に駆動される。ゆえに転写搬送ベルト２１６は、給紙機構２１１を通じて給送される用紙Ｐを担持しつつ、第１画像形成部Ｐａ、第２画像形成部Ｐｂ、第３画像形成部Ｐｃ、および第４画像形成部Ｐｄに、用紙Ｐを順次搬送する。転写搬送ベルト２１６の表面が用紙吸着用帯電器２２８によって帯電されているので、転写搬送ベルト機構２１３は、給紙機構２１１から供給された用紙Ｐを転写搬送ベルト２１６に確実に吸着させた状態で、第１画像形成部Ｐａから第４画像形成部Ｐｄまでの間、用紙Ｐを位置ずれを起こさないように、安定して搬送することができる。静電吸着されている用紙Ｐを転写搬送ベルト２１６から分離するために、用紙剥離用の除電器２２９には交流電流が印加されている。
【００６５】
第１画像形成部Ｐａ、第２画像形成部Ｐｂ、第３画像形成部Ｐｃ、および第４画像形成部Ｐｄは、実質的には、相互に等しい構成を有している。各画像形成装置Ｐａ．Ｐｂ，Ｐｃ，Ｐｄは、図１において矢印Ｆで示す方向に回転駆動される感光体ドラム２２２ａ，２２２ｂ，２２２ｃ，２２２ｄをそれぞれ含む。感光体ドラム２２２ａ〜２２２ｄの周辺には、帯電器２２３ａ，２２３ｂ，２２３ｃ，２２３ｄと、現像装置２２４ａ，２２４ｂ，２２４ｃ，２２４ｄと、転写部材２２５ａ，２２５ｂ，２２５ｃ，２２５ｄと、クリーニング装置２２６ａ，２２６ｂ，２２６ｃ，２２６ｄとが、感光体ドラム２２２ａ〜２２２ｄの回転方向Ｆに沿って順次配置されている。
【００６６】
感光体ドラム２２２ａ〜２２２ｄの上方には、レーザビームスキャナユニット２２７ａ，２２７ｂ，２２７ｃ，２２７ｄがそれぞれ設けられている。レーザビームスキャナユニット２２７ａ〜２２７ｄは、半導体レーザ素子と、偏向装置であるポリゴンミラー２４０ａ，２４０ｂ，２４０ｃ，２４０ｄと、ｆθレンズ２４１ａ，２４１ｂ，２４１ｃ，２４１ｄと、２つのミラー２４２ａ，２４２ｂ，２４２ｃ，２４２ｄ；２４３ａ，２４３ｂ，２４３ｃ，２４３ｄとをそれぞれ有している。なお図１において、半導体レーザ素子は図示されていない。
【００６７】
第１画像形成部Ｐａのレーザビームスキャナユニット２２７ａには、画像処理装置１４からの画像データ内の、カラー原稿画像の黒の色成分像に対応する信号が入力される。第２画像形成部Ｐｂのレーザビームスキャナユニット２２７ｂには、画像データ内のカラー原稿画像のシアンの色成分像に対応する信号が入力される。第３画像形成部Ｐｃのレーザビームスキャナユニット２２７ｃには、画像データ内のカラー原稿画像のマゼンタの色成分像に対応する信号が入力される。第４画像形成部Ｐｄのレーザビームスキャナユニット２２７ｄには、画像データ内のカラー原稿画像の黄の色成分像に対応する信号が入力される。
【００６８】
帯電器２２３ａ〜２２３ｄは、感光体ドラム２２２ａ〜２２２ｄをそれぞれ一様に帯電させる。レーザビームスキャナユニット２２７ａ〜２２７ｄの半導体レーザ素子は、該ユニットに与えられた信号に応じて変調されたレーザ光を発する。ポリゴンミラー２４０ａ〜２４０ｄは、半導体レーザ素子からのレーザ光を、予め定める主走査方向に偏向させる。ｆθレンズ２４１ａ〜２４１ｄおよびミラー２４２ａ〜２４２ｄ；２４３ａ〜２４３ｄは、ポリゴンミラー２４０ａ〜２４０ｄによって偏向されたレーザ光を、帯電された感光体ドラム２２２ａ〜２２２ｄ表面に結像させる。これによってカラー原稿画像の４つの色成分に対応する静電潜像が、感光体ドラム２２２ａ〜２２２ｄ上に形成される。
【００６９】
第１画像形成部Ｐａの現像装置２２４ａには、黒色のトナーが収容されている。第２画像形成部Ｐｂの現像装置２２４ｂには、シアン色のトナーが収容されている。第３画像形成部Ｐｃの現像装置２２４ｃには、マゼンタ色のトナーが収容されている。第４画像形成部Ｐｄの現像装置２２４ｄには、黄色のトナーが収容されている。現像装置２２４ａ〜２２４ｄは、感光ドラム２２２ａ〜２２２ｄ上の静電潜像を、収容されているトナーによって現像する。これによって画像出力装置１５において、原稿画像が、黒、シアン、マゼンタ、および黄色のトナー像として再現される。
【００７０】
転写部材２２５ａ〜２２５ｄは、転写搬送ベルト２１６によって搬送される用紙Ｐの一方面に、感光体ドラム２２２ａ〜２２２ｄ上のトナー像を転写する。クリーニング装置２２６ａ〜２２６ｄは、転写後の感光体ドラム２２２ａ〜２２２ｄ上に残留するトナーを、それぞれ除去する。
【００７１】
第４画像形成部Ｐｄにおいてトナー像の転写が完了した後、用紙Ｐは、除電器２２９によって、先端部分から順次、転写搬送ベルト２１９から剥離され、定着装置２１７へ導かれる。定着装置２１７は、用紙Ｐ上に転写されたトナー像を、用紙Ｐ上に定着させる。
【００７２】
定着装置２１７が備える定着ローラ間のニップを通過した用紙Ｐは、搬送方向切換えゲート２１８を通過する。搬送方向切換えゲート２１８は、トナー像定着後の用紙Ｐの搬送経路を、画像形成装置１１本体の外へ用紙Ｐを排出するための第１の経路と、画像出力装置１５に向かって用紙Ｐを再供給するための第２の経路との間で選択的に切換える。搬送方向切換えゲート２１８によって搬送経路が第１の経路に切換えられた場合、用紙Ｐは、排出ローラによって、画像形成装置１１の本体の外壁に取付けられている排紙トレイ２２０上に排出される。搬送方向切換えゲート２１８によって搬送経路が第２の経路に切換えられた場合、用紙Ｐはスイッチバック搬送経路２２１に搬送され、スイッチバック搬送経路２２１によって表裏が反転された後、給紙機構２１１を経由して画像出力装置１５に再度供給される。
【００７３】
上述の説明では、レーザビームスキャナユニット２２７ａ〜２２７ｄによってレーザ光を走査し露光することによって、感光体２２２ａ〜２２２ｄへの光書込みを行っている。レーザビームスキャナユニット２２７ａ〜２２７ｄの代わりに、発光ダイオードアレイと結像レンズアレイとからなる書込み光学系であるＬＥＤ（Light Emitting Diode）ヘッドが用いられても良い。ＬＥＤヘッドは、レーザビームスキャナユニットと比べてサイズが小さく、かつ可動部分がないために無音である。ゆえに複数の光書込みユニットを必要とするタンデム方式のデジタルカラー画像形成装置では、ＬＥＤヘッドが好適に用いられる。また上述の説明では、画像出力装置１５は、電子写真方式の印刷機で実現されている。画像出力装置１５は、電子写真方式の印刷機に限らず、他の装置、たとえばインクジェット方式の印刷機で実現されてもよい。
【００７４】
図２は、図１の画像形成装置１１内に備えられる画像処理装置１４の構成を示すブロック図である。画像処理装置１４は、アナログ／デジタル（以後「Ａ／Ｄ」と略称する）変換部２１、シェーディング補正部２２、入力階調補正部２３、色補正部２４、像域分離処理部２５、墨生成下色除去部２６、空間フィルタ処理部２７、中間調出力階調処理部２８、基準補正曲線記憶部（基準補正曲線記憶手段、以後「曲線記憶部」と略称する）３１、および補正量記憶部（補正量記憶手段）３２を含む。曲線記憶部３１は、少なくともデータが読出し可能である不揮発性の記憶部、たとえばＲＯＭ（Read Only Memory）で実現される。補正量記憶部３２は、データの書込みおよび読出しが可能である記憶部、たとえばＲＡＭ（Random Access Memory）で実現され、好ましくは、データの書込みおよび読出しが可能でありかつ不揮発性である記憶部で実現される。
【００７５】
Ａ／Ｄ変換部２１は、画像入力装置１３から与えられるＲＧＢの反射率信号を、デジタル信号に変換する。シェーディング補正部は、Ａ／Ｄ変換された反射率信号に対して、シェーディング補正処理を施す。シェーディング補正処理は、画像入力装置１３の照明系・結像系・および撮像系の構成に起因して画像信号に生じる各種の歪みを取除くために行われる。
【００７６】
入力階調補正処理部２３は、シェーディング補正処理が施された反射率信号に、入力階調処理を施す。入力階調補正処理は、反射率信号を、濃度信号等であるような画像処理装置１４が扱いやすい信号に変換する処理である。入力階調補正部２３は、反射率信号に、カラーバランス処理をさらに施しても良い。
【００７７】
色補正部２４は、ＲＧＢの濃度信号をＣＭＹの濃度信号に変換し、かつ画像出力装置１５における色再現の忠実化実現のために、ＣＭＹの濃度信号に色補正処理を施す。色補正処理は、具体的は、不要吸収成分をそれぞれ含むＣＭＹのトナーの分光特性に基づいた色濁りを、ＣＭＹの濃度信号から取除く処理である。
【００７８】
像域分離処理部２５は、色補正部２４から出力されたＣＭＹの濃度信号に基づき、領域分離処理を行う。像域分離処理部２５における分離結果は、墨生成下色除去部２６・空間フィルタ処理部２７・中間調出力階調処理部２８に与えられる。像域分離処理部２５における分離結果は、画像出力装置１５に与えられても良い。
【００７９】
墨生成下色除去部２６は、色補正部２４から出力された濃度信号を構成するＣＭＹの色信号に基づいて、黒の色信号を生成する墨生成処理を行う。また墨生成下色除去部２６は、ＣＭＹの色信号に対して下色除去処理を施す。下色除去処理は、ＣＭＹの色信号から墨生成処理で生成された黒の色信号を差引いて、新たなＣＭＹの色信号を得る処理である。これらの処理の結果、ＣＭＹの濃度信号は、ＣＭＹＫの色信号から成る画像信号である画像データに変換される。
【００８０】
空間フィルタ処理部２７は、墨生成下色除去部２６で得られたＣＭＹＫ画像データに対して、デジタルフィルタを用いた空間フィルタ処理を施す。これによって画像の空間周波数特性が補正されるので、画像出力装置１５が出力する画像にぼやけまたは粒状性劣化が生じることを防止することができる。
【００８１】
中間調出力階調処理部２８は、曲線記憶部３１および補正量記憶部３２の記憶内容を参照しつつ、空間フィルタ処理後のＣＭＹＫ画像データに対して、階調補正処理および中間調生成処理を施す。中間調生成処理は、画像を複数の画素に分割して各画素の階調を再現できるようにする処理である。また中間調出力階調処理部２８は、画像データの濃度値を、画像出力装置１５の特性値である網点面積率に変換する処理を行っても良い。中間調出力階調処理部２８によって処理された濃度信号が、画像出力装置１５に与えられる。
【００８２】
画像入力装置１３が読取る原稿画像に文字および写真が混在しているならば、像域分離処理部２５によって、画像は、黒文字として抽出される文字領域と、写真として判別される写真領域とに分離される。文字領域は、場合によっては色文字を含む。画像が文字領域と写真領域とに分離される場合、好ましくは、文字領域に関しては、空間フィルタ処理部２７が高域周波数の強調量が大きい鮮鋭度強調処理を施し、中間調出力階調処理部２８が高周波数再現に適した高解像度のディザ処理を行う。これは、画像内の黒文字あるいは色文字の再現性を高めるためである。また画像が文字領域と写真領域とに分離される場合、写真領域に関しては、好ましくは、空間フィルタ処理部２７がローパスフィルタ処理を施し、中間調出力階調処理部２８が階調再現性を重視したディザ処理を行う。これは、写真領域内の網点成分を除去するためである。
【００８３】
本実施の形態の画像処理装置１４は、中間調出力階調処理部２８における階調補正処理に特徴がある。階調補正処理の概略的な実行手順は、以下のとおりである。階調補正処理のために、図３に示すような基準の補正曲線が曲線記憶部３１に予め記憶されており、かつ複数の補正量が予め設定されて補正量記憶部３２に記憶されている。中間調出力階調処理部２８は、ＣＭＹＫの画像データが与えられた時点で、基準の補正曲線と補正量とを用いて実際に用いるべき補正曲線を作成し、作成された補正曲線を用いて階調補正処理を行う。このように、階調補正処理において、基準の補正曲線をそのまま用いるのではなく、作成された補正曲線を用いているのは、画像出力装置１５固有の出力特性に製造上のばらつきがあるためである。
【００８４】
基準の補正曲線（以後「基準補正曲線」と称する）は、中間調出力階調処理部２８において、入力される画像データの濃度値に応じて出力される値を、どのような値に補正するかを定める際の基準となるものである。基準補正曲線および作成された補正曲線は、どちらも入力濃度値に対する補正値の変化を示す。入力濃度値は、中間調出力階調処理部２８に入力される処理対象の濃度値である。補正値は、中間調出力階調処理部２８から出力される値であり、画素濃度に対応している。以後の説明では「基準補正曲線上の補正値」を「基準補正値」と称する。
【００８５】
補正量は、指定濃度値に、１対１で対応している。指定濃度値は、入力濃度値の範囲内において相互に間隔をあけて予め指定される入力濃度値である。或る指定濃度値に対応する補正量は、階調補正処理に実際に用いられる補正曲線上の指定濃度値に対する補正値と、指定濃度値に対する基準補正曲線上の補正値との差である。補正量は、指定濃度値に対応して基準補正曲線を元に設定されている。階調補正処理に関するデータの量を削減するために、指定濃度値の個数は入力濃度値の取得る数値の総数よりも少ない。本実施の形態では、指定濃度値は１６個になっている。
【００８６】
本実施の形態の階調補正処理は、補正曲線の作成処理にさらに特徴がある。補正曲線の概略的な作成手順を、図４の基準補正曲線ＧＹＢのグラフを用いて以下に説明する。中間調出力階調処理部２８は、補正曲線ＧＹＰの作成の際、１以上でかつ指定濃度値の総数以下の任意の整数ｉに対して、まず、指定濃度値ＸＰiに対する補正曲線上の補正値ＹＰ（ＸＰi）を、指定濃度値ＸＰiに対する基準補正値ＹＢ（ＸＰi）と、指定濃度値ＸＰiに対応する補正量ｗiとを、加算して算出する。なお図４では、補正量ｗiが負の値になっている。
【００８７】
次いで中間調出力階調処理部２８は、補間演算によって、指定濃度値ＸＰｉ以外の入力濃度値に対する補正曲線ＧＹＰ上の補正値を算出する。この補間演算は、１以上でかつ指定濃度値の総数未満の任意の整数ｉに対して、指定濃度値ＸＰｉ，ＸＰｉ＋１を両端とする区間ΔＸＰｉ内にある補正曲線の形状Ｇ３ｉを、該指定濃度値ＸＰｉ，ＸＰｉ＋１に対する補正曲線上の補正値ＹＰ（ＸＰｉ），ＹＰ（ＸＰｉ＋１）を両端とする区間ΔＹＢｉ内にある基準補正曲線ＧＹＢの形状Ｇ４ｉが濃度値軸に平行な方向Ｘに伸長または圧縮された形状と一致させるように行われる。入力濃度値の範囲は、全指定濃度値の数よりも１少ない数の区間ΔＸＰｉに区分されているので、上述の処理を指定濃度値を両端とする各区間ΔＸＰｉ毎に行うと、補正曲線ＧＹＰが得られる。
【００８８】
以後の説明では、「指定濃度値を両端とする区間」を「第１区間」と称し、「第１区間の両端の指定濃度値に対する補正曲線上の補正値を両端とする区間」を「第２区間」と称する。本発明に特徴的な補間処理、すなわち、作成対象の曲線のある着目する区間の形状と、基準補正曲線の前記着目する区間と所定の関係で対応付けられた区間の形状を濃度軸に平行な方向Ｘに伸長または圧縮した形状とを、一致させるように行われる補間処理を、「相似補間処理」と称する。本明細書では、濃度値軸に平行な方向Ｘは、補正曲線のグラフの水平方向に相当する。
【００８９】
基準補正曲線および１組の補正量は、ＣＭＹＫの各色成分毎にそれぞれ設定されていることが好ましい。この場合中間調出力階調処理部２８は、各色成分の濃度値に対して階調補正処理を施す際に、各色成分毎に設定された基準補正曲線および補正量を用いる構成になっている。これによって中間調出力階調処理部２８は、各色成分毎に適切な階調補正処理を行うことができる。
【００９０】
本実施の形態の階調補正処理を、以下に詳細に説明する。なお以下の説明は、中間調生成処理がディザ処理で実現され、かつ階調補正処理がディザ処理の一部分を兼ねている場合の説明になっている。ゆえに以下の説明において、中間調出力階調処理部２８は、階調補正処理を行う階調補正処理手段と中間調生成処理を行う中間調補正処理手段とを兼ねている。またＣＭＹＫの色の濃度値に対する階調補正処理は、用いられる基準補正曲線および補正量の具体値が相互に異なるだけであるので、以下の説明では、任意の１つの色の濃度値に対する階調補正処理だけを説明している。本実施の形態において、入力濃度値は０以上２５５以下の範囲内の整数であり、補正値は０以上で２５５のｍｓ倍以下の範囲内の整数になっている。「ｍｓ」は、ディザ処理で用いられるディザマトリクスの大きさである。補正値の範囲が０以上２５５×ｍｓ以下になっているのは、階調補正処理がディザ処理を兼ねているからである。
【００９１】
単一の色の基準補正曲線は、複数本設定されていることが好ましい。この場合中間調出力階調処理部２８は、画像出力装置１５固有の出力特性に基づき、複数本の基準補正曲線のうちから、最適ないずれか１本の基準補正曲線を選択して用いる構成になっている。
【００９２】
基準補正曲線の選択のために、中間調出力階調処理部２８は、複数本の基準の特性曲線と、試験画像のデータとを予め備えている。
【００９３】
たとえば図３に示す５本の基準補正曲線Ｇ２１〜Ｇ２５が曲線記憶部３１に記憶されている場合、図５に示すような５通りの入力−出力特性を示す基準特性曲線Ｇ１１〜Ｇ１５が備えられる。基準特性曲線の入力−出力特性は、中間調出力階調処理部２８と画像出力装置１５とから構成される装置（以後「階調補正出力装置」と称する）の階調補正処理を施さない状態での入出力特性であり、画像出力装置１５が印刷した画像の画素濃度に対応する値の入力濃度値に対する変化に相当する。後述するように、印刷された画像の画素濃度は画像入力装置１３を用いて測定されるので、印刷された画像の画素濃度に対応する値として、画像入力装置１３の出力値が用いられる。
【００９４】
基準補正曲線と基準特性曲線とは、１対１で対応している。図３および図５において、参照符Ｇ１１の基準特性曲線が参照符Ｇ２１の基準補正曲線に対応し、以下同様に、参照符の末尾の数値が等しい曲線同士が対応している。基準特性曲線の勾配が大きいほど、対応する基準補正曲線の勾配は小さくなっている。階調補正出力装置の入出力特性のグラフが或る基準特性曲線と一致している場合、該基準特性曲線に対応する基準補正曲線を用いて階調補正処理を行えば、階調補正出力装置の入出力特性のグラフは、所定の目標特性曲線と一致する。
【００９５】
試験画像は、たとえば図６に示すように、ＣＭＹＫの各色毎に複数の指定濃度値にそれぞれ対応する濃度の画像パターンから構成される。このような画像パターンは、パッチと称される。
【００９６】
図７は、基準補正曲線の選択処理を説明するためのフローチャートである。基準補正曲線の選択手順を、図７と、図３、図５、図８、および図９を用いて、以下に説明する。中間調出力階調処理部２８は、ステップＤ１で、試験画像に対して階調補正処理を施さずに中間調生成処理だけを施し、中間調生成処理後の試験画像を画像出力装置１５によって出力させる。これによって階調補正処理が施されていない試験画像（画像サンプル）が、記録紙（用紙Ｐ）に印刷される。ステップＤ２で、中間調出力階調処理部２８は、印刷された試験画像（画像サンプル）を画像入力装置１３によって読取らせ、印刷された試験画像の各パッチの濃度に対応する出力値（以後「出力測定値」と称する）を得る。各パッチの出力測定値は、該各パッチの指定濃度値に対応付けられる。これによって画像出力装置固有の出力特性が求められる。
【００９７】
ステップＤ３で、中間調出力階調処理部２８は、どの基準特性曲線が出力測定値に最も近いかを判別するために、出力測定値と各基準特性曲線とを比較する。このためには、まず、出力測定値と各基準特性曲線との差が、それぞれ求められる。図８は、３番目の基準特性曲線Ｇ１３と任意の指定濃度値ｓ（１），ｓ（２）との差を求める例を示している。図８の例では、指定濃度値ｓ（１）については、指定濃度値ｓ（１）に対応する出力測定値ＯＵＴ−ｍ（ｓ（１））と指定濃度値ｓ（１）に対する基準特性曲線Ｇ１３上の出力値ＯＵＴ−ｂ（ｓ（１））との差ΔＯS(1)が求められる。同様に、指定濃度値Ｓ（２）については、指定濃度値ｓ（２）に対する出力測定値ＯＵＴ−ｍ（ｓ（２））と指定濃度値Ｓ（２）に対する基準特性曲線Ｇ１３上の出力値ＯＵＴ−ｂ（ｓ（２））との差ΔＯS(2)が求められる。各基準特性曲線と出力測定値との差が１６個の指定濃度値全てについて求められた後、中間調出力階調処理部２８は、求められた差を用いて、出力測定値の分布に最も近いいずれか１本の基準特性曲線を判別する。
【００９８】
ステップＤ４で、中間調出力階調処理部２８は、出力測定値に最も近いと判別された基準特性曲線に対応する基準補正曲線を選択して処理を終了する。１６個の指定濃度値に対応する出力測定値が図９の黒丸のように表示されるならば、たとえば差の加重和または差の分散に基づき、３番目の基準特性曲線Ｇ１３が出力測定値に最も近いことが分かるので、基準特性曲線Ｇ１３に対応する３番目の基準補正曲線Ｇ２３（図３）が選ばれる。画像出力装置１５固有の出力特性に基づいて選択された基準補正曲線が補正曲線の作成に用いられる場合、中間調出力階調処理部２８は、画像出力装置１５固有の出力特性に応じた適切な補正曲線を作成することができる。
【００９９】
選択された基準補正曲線をそのまま用いて階調補正処理が試験画像に施され、処理後の試験画像が画像出力装置１５によって印刷され、印刷された試験画像が読取られた場合、入力濃度値に対する出力測定値の特性が、所定の目標特性曲線からずれる場合がある。このような場合、指定濃度値に対応する補正量は、画像出力装置１５固有の出力特性に基づいて定められる。以後の説明では、画像出力装置１５固有の出力特性だけに基づいて定められる補正量を「第１補正量」と称する。第１補正量の設定処理は、中間調出力階調処理部２８によって行われる。基準補正曲線の選択処理が行われているならば、第１補正量の設定処理は、基準補正曲線の選択処理に続いて行われる。
【０１００】
画像出力装置１５固有の出力特性に基づいた第１補正量の設定処理を、図１０および図１１を用いて、以下に説明する。最初に、予め準備された試験画像に対して、基準補正曲線をそのまま用いた階調補正処理と中間調生成処理とが施される。次に、これら２つの処理後の試験画像を画像出力装置１５によって記録紙に印刷させる。次に印刷された試験画像が画像入力装置１３によって読取られる。この結果、各指定濃度値のパッチの出力測定値が得られる。なおパッチは複数の画素から構成されているので、好ましくは、画像入力装置１３がパッチを構成する複数の画素をそれぞれ読取って画素の出力測定値を出力し、中間調出力階調処理部２８がパッチを構成する複数の画素の出力測定値の平均値を算出して、該平均値をパッチの出力測定値とする。このように得られたパッチの出力測定値は、パッチの指定濃度値と１対１で対応付けられる。図１０において、黒丸Ｐ１は、ｉ番目の指定濃度値ＸＰiに対応する出力測定値ＹＭiを表示した点である。
【０１０１】
次に、目標特性曲線記憶部（目標特性曲線記憶手段）３３から読出された目標特性曲線ＧＹＭと指定濃度値ＸＰiに対応する出力測定値ＹＭiとが比較され、図１０に示すように、出力測定値ＹＭiに対する目標特性曲線ＧＹＭ上の入力濃度値ＸＢ（ＹＭi）が求められる。なお以後の説明では、「出力測定値に対する目標特性曲線上の入力濃度値」を「出力目標濃度値」と称する。次に、図１１に示すように、出力目標濃度値ＸＢ（ＹＭi）に対する曲線値Ｖ（ＹＭi）として、指定濃度値ＸＰiに対する基準補正値ＹＢ（ＸＰi）が代入される。曲線値は、目標特性曲線ＧＹＭに応じて画像を出力させるために中間調出力階調処理部２８が用いるべき補正曲線上の補正値であり、このような補正曲線は、第１補正量だけを用いて基準補正曲線を補正して得られる補正曲線に相当する。
【０１０２】
曲線値の設定処理は、複数の出力測定値それぞれに対して、実行される。このように、目標特性曲線からずれた出力測定値ＹＭiに基づいて、指定濃度値ＸＰi以外の入力濃度値である出力目標濃度値ＸＢ（ＹＭi）に対する曲線値Ｖ（ＹＭi）が求められる。出力目標濃度値に対する曲線値が設定された後、設定された曲線値を用いた補間処理によって、指定濃度値に対する曲線値が求められる。
【０１０３】
補間処理が終了した後、各指定濃度値ＸＰiに対する曲線値Ｖ（ＸＰi）と各指定濃度値ＸＰiに対する基準補正値ＹＢ（ＸＰi）との差が、それぞれ求められる。求められた差が、指定濃度値ＸＰiに対応する第１補正量ｓiとして用いられる。たとえば曲線値の入力濃度値に対する変化が図１１の曲線ＧＶで示されるならば、ｉ番目の指定濃度値ＸＰiに対応する第１補正量ｓiは、指定濃度値ＸＰiに対する基準補正値ＹＢ（ＸＰi）と曲線ＧＶ上の曲線値Ｖ（ＸＰi）との差になる。補正曲線の作成のための補正量ｗiが画像出力装置１５固有の出力特性だけに基づいて設定されることになっている場合、第１補正量ｓiが指定濃度値に対する補正量ｗiとして、そのまま補正量記憶部３２に記憶される。以上説明した手順を用いることによって、中間調出力階調処理部２８は、画像出力装置１５固有の出力特性に基づいた第１補正量を適切に設定することができる。
【０１０４】
上述したように、基準補正曲線の選択処理および第１補正量の設定処理のために、試験画像のデータが不図示の記憶部（メモり）に予め備えられている。試験画像のデータが備えられる代わりに、記録紙に印刷された試験画像が予め備えられていても良い。この場合中間調出力階調処理部２８は、基準補正曲線の選択処理または第１補正量の設定処理の実行に先立ち、印刷された試験画像を画像入力装置１３に読取らせ、この結果、作成される画像信号を試験画像のデータとして用いる。試験画像のデータが備えられる場合と印刷された試験画像が備えられる場合とを比較すると、前者の場合は画像入力装置１３の読取り誤差等の影響を受けないので、前者の場合の方が好ましい。
【０１０５】
本実施の形態の画像処理装置１４を備えた画像形成装置１１において、使用者が、画像出力装置１５が出力する画像に、所望の濃淡またはコントラストを付加したいと望む場合がある。この場合使用者は、付加しようとする濃淡またはコントラストに応じた調整量を設定して、操作パネル１６から中間調出力階調処理部２８に入力する。操作パネル１６は、調整量の入力手段として用いられる。中間調出力階調処理部２８は、調整量が入力された場合、調整量に基づいて定められる補正量（以後「第２補正量」と称する）をさらに求め、第１補正量と第２補正量との和を指定濃度値に対応する補正量として採用して、階調補正処理を行う構成になっている。
【０１０６】
【表１】
0003737311.tif 000002
【０１０７】
ｗi＝ｓi＋ｔi＋ｕi＋ｖi          （ｉ＝１，２，…，Ｎ）  …（１）
また複数の調整量が入力される場合、中間調出力階調処理部２８は、各調整量に基づいてそれぞれ決定される補正量の総和を、第２補正量とすればよい。たとえば表１に示すように３つの調整量が設定される場合、或る指定濃度値に対応する補正量ｗiは、式１に示すように、該指定濃度値に対応する第１補正量ｓiと、第１の調整量に基づいて定められる該指定濃度値に対応する補正量ｔiと、第２の調整量に基づいて定められる該指定濃度値に対応する補正量ｕiと、第３の調整量に基づいて定められる該指定濃度値に対応する補正量ｖiとの和になる。これによって、各種の調整量が設定される場合、調整量に基づいた第２補正量が容易に算出される。
【０１０８】
図１２は、画像形成装置１１における原稿複写時の中間調出力階調処理部２８の主制御処理を示すフローチャートである。なお原稿複写の指示に先立ち、基準補正曲線の選択処理と補正量の設定処理とが行われているので、１本の基準補正曲線が既に選択されており、かつ補正量が補正量記憶部３２に記憶されている。
【０１０９】
使用者が操作パネル１６から原稿複写の指示を入力すると、中間調出力階調処理部２８は、ステップＡ２で、曲線記憶部３１内の選択された基準補正曲線と補正量記憶部３２内の１組の補正量とに基づいて補正曲線を作成し、作成された補正曲線に基づいてγ補正テーブルを作成する。γ補正テーブルは、作成された補正曲線に基づいて作られるディザマトリクス内の各画素毎の補正テーブルである。ステップＡ２の詳細な処理は後述する。
【０１１０】
γ補正テーブルが作成された後、中間調出力階調処理部２８は、ステップＡ３で、処理対象の画像のデータを構成する入力濃度値を、空間フィルタ処理部２７から読込む。中間調出力階調処理部２８は、ステップＡ４で、読込まれた入力濃度値に対して、ディザマトリクス内のいずれの画素であるかに対応するγ補正テーブルを用いたγ補正処理を行う。これによって、読込まれた入力濃度値が入力濃度値に対する補正テーブルの値に置換えられ、結果的に、各画素の階調値が定まる。
【０１１１】
中間調出力階調処理部２８は、ステップＡ５で、処理対象の画像データを構成する全入力濃度値を読込んだか否かを判断する。未だ読込まれていない入力濃度値が残っているならば、ステップＡ５からステップＡ３に戻る。画像データの全処理濃度値が読込まれているならば、主制御処理を終了する。
【０１１２】
以上図１２で説明したように、中間調出力階調処理部２８は、階調補正処理に用いるべき補正曲線を、基準補正曲線と１組の補正量とを用いて原稿複写時に作成する。作成される補正曲線の形状は、補正量に応じて変化する。ゆえに画像処理装置１４は、補正量記憶部３２が複数組の補正量を記憶し、中間調出力階調処理部２８が原稿複写時にいずれか１組の補正量を選択して補正曲線の作成に用いる構成になっていることが好ましい。これによって中間調出力階調処理部２８は、複数の目標の特性曲線にそれぞれ応じた階調補正処理を行うことができる。この際、１組の補正量はたとえば１６個の値から構成されるので、１組の補正量のデータ量は１本の補正曲線のデータ量よりも少ない。すなわち補正量記憶部３２は限られた所定量のデータである補正量の組を、処理の過程で蓄えていれば良い。ゆえに基準補正曲線および複数組の補正量を記憶するのに必要な記憶容量は、複数の目標の特性曲線にそれぞれ応じた補正曲線を記憶するのに必要な記憶容量よりも少なくなる。
【０１１３】
指定濃度値に対応する補正量が画像出力装置１５固有の出力特性に基づいた第１補正量である場合、中間調出力階調処理部２８は、実質的には、画像出力装置１５固有の出力特性に基づいた適切なγ補正処理を、階調補正処理として行うことができる。指定濃度値に対応する補正量が、第１補正量と調整量に基づいた第２補正量との和である場合、中間調出力階調処理部２８は、実質的には、調整量に基づいた濃度値の補正処理と画像出力装置１５固有の出力特性に基づいたγ補正処理とを、階調補正処理として行うことができる。また指定濃度値に対応する補正量は、第２補正量だけであっても良い。この場合中間調出力階調処理部２８は、実質的には、基準補正曲線を用いたγ補正処理と調整量に基づく補正値の補正処理とを、階調補正処理として行うことができる。さらにまた指定濃度値に対応する補正量が第２補正量だけである場合、濃度値の補正に関する調整量の代わりに、画像出力装置１５固有の出力特性に応じた調整量が、画像処理装置１４に与えられても良い。この場合、第２補正量が画像出力装置１５固有の出力特性に応じた量になるので、中間調出力階調処理部２８は、画像出力装置１５固有の出力特性に基づいたγ補正処理を、階調補正処理として行うことができる。
【０１１４】
図１２のステップＡ２の処理において、前述したように補正量は指定濃度値に関してだけ求められているので、補正曲線の作成時に、指定濃度値以外の残りの入力濃度値に対する補正値を、指定濃度値に対する補正値と同じ手順で求めることは難しい。このために残りの入力濃度値に対する補正値として、図１３で説明するように、指定濃度値に対する補正値を補間して得られる値が用いられる。
【０１１５】
図１３は、図１２の中間調出力階調処理部２８の主制御処理のステップＡ２の処理の手順を示すフローチャートである。使用者が操作パネル１６から原稿複写の指示を入力した後、ステップＢ２に進む。中間調出力階調処理部２８は、ステップＢ２で、指定濃度値に対する基準補正曲線上の補正値と指定濃度値に対応する補正量との和を求め、求められた和を指定濃度値に対する補正値にする。中間調出力階調処理部２８は、テップＢ３で、指定濃度値以外の残りの入力濃度値に対する補正値を、指定濃度値に対する補正値を用いて図４の相似補間処理によって求める。相似補間処理の詳細は後述する。このようにステップＢ２およびステップＢ３の処理によって、階調補正処理で実際に用いるべき補正曲線が作成される。中間調出力階調処理部２８は、ステップＢ４で、作成された補正曲線に基づいてγ補正テーブルを作成し、処理を終了する。
【０１１６】
このように中間調出力階調処理部２８は、図１３で説明した処理によって、補正曲線を作成することができる。指定濃度値に対応する補正量が第１補正量と第２補正量との和である場合、図１３で説明した手順で補正曲線を作成すると、階調補正処理のためのデータを記憶するために必要な記憶容量を、さらに削減することができる。
【０１１７】
図１４は、図１３のステップＢ３で行われる相似補正処理を説明するためのフローチャートである。図１５は、相似補正処理を詳細に説明するために基準補正曲線の一部分および補正曲線の一部分を示す図である。図１４、図１５および図４を用いて、補正曲線の作成時に行われる相似補正処理を説明する。
【０１１８】
曲線記憶部３１は、相似補間処理のために、基準補正曲線のテーブルの他に、基準補正曲線の逆関数のテーブルも記憶している。また中間調出力階調処理部２８は、指定濃度値に対する補正曲線上の補正値のテーブルを記憶している記憶部（不図示）を、さらに備えている。
【０１１９】
中間調出力階調処理部２８は、ステップＣ１で、各指定濃度値に対する補正値ＹＰ（ＸＰi）と等しい、基準補正値ＹＢiに対する基準補正曲線上の入力濃度値ＸＢ（ＹＢi）を、基準補正曲線の逆関数のテーブルを用いて算出する。第１区間の両端の指定濃度値ＸＰi，ＸＰi+1に対する補正値と等しい基準補正値に対する基準補正曲線上の入力濃度値ＸＢ（ＹＢi），ＸＢ（ＹＢi+1）を両端とする区間ΔＸＢiを、以後「第３区間」と称する。基準補正曲線の第２区間ΔＹＢi内の部分は、基準補正曲線の第３区間ΔＸＢi内の部分と同一である。
【０１２０】
中間調出力階調処理部２８は、ステップＣ２で、第３区間毎に、基準補正曲線の第３区間内の部分を、水平方向Ｘに平行に第１区間まで移動させ、基準補正曲線の第３区間内の部分を圧縮または伸長する。具体的には、まず、第３区間ΔＸＢi内の入力濃度値Ｊiが、式２を用いて変換される。変換対象の入力濃度値Ｊiは、式３で定義される。式２の右辺では、第３の区間幅ＸＢ（ＹＢi+1）−ＸＢ（ＹＢi）に対する第１の区間の幅ＸＰi+1−ＸＰiの比と、第３区間の小さいほうの一端の入力濃度値から変換対象の入力濃度値までの距離Ｊi−ＸＢ（ＹＢi）とが乗算され、得られた積に、第１の区間の小さいほうの一端の指定濃度値ＸＰiが加算されている。
【０１２１】
【数１】
0003737311.tif 000003
【０１２２】
図１５（Ａ）に示す基準補正曲線の形状Ｇ４ｉを例とすると、式２によって得られた和ＸＸ０（Ｊｉ）をそのまま入力濃度値として、該入力濃度値に対する補正値に、変換前の入力濃度値Ｊｉに対する基準補正値ＹＢ（Ｊｉ）を代入したならば、図１５（Ｂ）に示す曲線が得られる。なお図１５において、第１区間ΔＸＰiが第３区間ΔＸＢｉよりも広く、曲線が伸長されている。和ＸＸ０（Ｊｉ）は整数値であるとは限らないが、入力濃度値は整数であると定義されている。
【０１２３】
次いで、和ＸＸ0（Ｊi）が丸められ、整数値にされる。和を丸める処理は、切上げ・切捨て・および四捨五入のどれを用いてもよく、本実施の形態では四捨五入している。丸められた和と等しい第１区間内の入力濃度値ＸＸ（Ｊi）が、第３区間内の入力濃度値Ｊiに対応付けられる。以上の処理によって、第３区間ΔＸＢiの両端の入力濃度値と第１区間ΔＸＰiの両端の指定濃度値とが一致するように、第３区間内の入力濃度値Ｊiが第１区間内の入力濃度値ＸＸ（Ｊi）に対応付けられる。中間調出力階調処理部２８は、第３区間内の入力濃度値Ｊiと対応付けられた第１区間内の入力濃度値ＸＸ（Ｊi）に対する補正値に、第３区間内の入力濃度値Ｊiに対する基準補正値ＹＢ（Ｊi）を代入する。これによって図１５（Ｃ）に示す曲線が得られる。
【０１２４】
曲線が圧縮されている場合、ステップＣ２の処理において、式２の和ＸＸ0（Ｊi）が四捨五入された結果、第３区間ΔＸＢi内の複数の入力濃度値が、第１区間ΔＸＰi内の単一の入力濃度値に対応付けられることがある。この場合、中間調出力階調処理部２８は、重複する第３の区間内の入力濃度値のうち、最後に算出された入力濃度値を選び、該入力濃度値に対する基準補正値を、第１の区間内の入力濃度値の補正値ＹＰ（ＸＸ（Ｊi））に代入する。これによって中間調出力階調処理部２８は、補正曲線をより速く作成することができる。このように作成された補正曲線の第１区間内の部分の形状は、基準補正曲線の第２区間内の部分を水平方向に圧縮した形状よりもやや崩れた形状になっている。
【０１２５】
補正曲線の崩れを回避するためには、中間調出力階調処理部２８は、重複する前記第３の区間内の入力濃度値にそれぞれ対する基準補正値の中央値を、第１の区間内の入力濃度値の補正値ＹＰ（ＸＸ（Ｊi））に代入する。重複する入力濃度値が偶数個であるならば、中央の２つの入力濃度値に対する基準補正値の平均値を中央値として用いる。これによって中間調出力階調処理部２８は、第３区間内の入力濃度値に対応付けられていない第１区間内の入力濃度値に対する補正値を、補間演算によって容易に求めることができので、画像出力装置１５にさらに適した補正曲線を作成することができる。
【０１２６】
曲線が伸長されている場合、ステップＣ１およびステップＣ２の処理だけでは、第１区間内の全入力濃度値に対する補正値が得られない。図１５（Ｃ）の例では、補正値が算出された入力濃度値ＸＸ（Ｊi）のうち、濃度軸上で隣合う２つのものの間隔Ｗ２が１とは限らず、２以上になっている所がある。
【０１２７】
中間調出力階調処理部２８は、残りの入力濃度値に対する補正値の算出のために、ステップＣ３で、まず補正値が算出された全入力濃度値のうち、式４に示すように、間隔Ｗ２が１より大きい入力濃度値ＸＸ（ＪＪ），ＸＸ（ＪＪ＋１）を選ぶ。次いで、選ばれた入力濃度値ＸＸ（ＪＪ），ＸＸ（ＪＪ＋１）を両端とする区間内に存在する残りの入力濃度値ＸＸに対する補正値ＹＰ（ＸＸ）が、選ばれた入力濃度値に対する補正値ＹＰ（ＸＸ（ＪＪ）），ＹＰ（ＸＸ（ＪＪ＋１））を用いた補間演算によって算出される。本実施の形態では、補正値の補間には式５で示す線形補間が用いられる。
【０１２８】
Ｗ２＝ＸＸ（ＪＪ＋１）−ＸＸ（ＪＪ）＞１
ただし、ＪＪ＝ＸＢ(YBi)，ＸＢ(YBi)＋１，…，ＸＢ(YBi+1）−１…（４）
【０１２９】
【数２】
0003737311.tif 000004
【０１３０】
式５の計算によって、図１５（Ｄ）の例では、太線の補助線で示す入力濃度値に対する補正値が得られる。太線は、図１５（Ｄ）において、補正値が算出された入力濃度値ＸＸ（Ｊi）,ＸＸ（Ｊi+1）の区間の間隔が２以上になっている場合、該区間における１刻みの整数値に対して、線形補間によって補正値を求めた例を示している。以上の処理によって全入力濃度値に対する補正値が算出された後、図１４のフローチャートの処理を終了する。
【０１３１】
図１４の処理によって、中間調出力階調処理部２８は、第１区間内の入力濃度値に対する補正値を、第３区間内の入力濃度値と該入力濃度値に対する基準補正曲線上の補正値とに基づいて、算出することができる。また図１５で説明したように、ステップＣ２の処理時に和ＸＸ0（Ｊi）を丸める処理が行われるので、入力濃度値の桁数が小数点以上の桁に限定されている場合でも、第１区間内の入力濃度値に対する補正値を、第３区間内の入力濃度値と該入力濃度値に対する基準補正曲線上の補正値とに基づいて算出することができる。
【０１３２】
補正曲線の作成時の補間演算に本発明の相似補間法が用いられる場合、補間演算にスプライン補間法またはｎ次関数近似法を用いた場合よりも比較的簡易な計算で、補正曲線を高速に得ることができる。また、第１区間毎の補正曲線の出力特性は第２区間の基準補正曲線の出力特性と相似になる。これによって、基準補正曲線に基づく出力特性がほぼ線形である出力区間は、作成された補正曲線に基づく補正が成された後も、ほぼ線形な出力特性を有する。
【０１３３】
指定濃度値は、図１６に示すように、入力濃度値の範囲の上限濃度値および下限濃度値を含むことが好ましい。これは、相似補間法を用いる補間演算の実行時に、入力濃度値の範囲の低濃度部および高濃度部における補間演算を確実に行うためである。本実施の形態では、上限濃度値は２５５であり、下限濃度値が０になっている。指定濃度値のうちの１つが下限濃度値である場合、下限濃度値以外の他の指定濃度値よりも小さい入力濃度値に対する補正値がより適切な値になる。指定濃度値のうちの１つが上限濃度値である場合、上限濃度値以外の他の指定濃度値よりも大きい入力濃度値に対する補正値がより適切な値になる。これらの理由によって、中間調出力階調処理部２８は、より適切な階調補正を行うことができる。
【０１３４】
また図１７に示すように、上限濃度値以下で所定の第１の入力濃度値以上である上限濃度値の近傍区間ＷＡ１と、下限濃度値以上で所定の第２の入力濃度値以下である下限濃度値の近傍区間ＷＡ２とにおける出力特性を固定する場合がある。この場合、中間調出力階調処理部２８は、補正曲線の作成時に、区間ＷＡ１，ＷＡ２内の入力濃度値に対する補正値を固定するために、該補正値に予め定める画素濃度に対応する濃度値を常に代入する。これによって、作成された補正曲線において、上限濃度値の近傍区間ＷＡ１および下限濃度値の近傍区間ＷＡ２内の出力特性が予め定める特性に常に維持される。図１７に示す例では、区間ＷＡ１の入力濃度値に対しては飽和濃度が出力され、区間ＷＡ２の入力濃度値に対しては零が出力される（印刷されない）。
【０１３５】
図１０および図１１で第１補正量の算出処理において、曲線値の補間処理には、どのような補間法を用いてもよいが、図４で説明した相似補間処理を用いることが、最も好ましい。図１８は、相似補正処理を用いた第１補正量の設定処理を説明するためのフローチャートである。なお図１８の説明では、添字ｉは、１以上でかつ指定濃度値の総数以下の任意の整数であり、ステップＥ１〜Ｅ４までの処理は、図１０および図１１を用いて説明した第１補正量ｓiの算出手順における試験画像の印刷から出力目標濃度値に対する曲線値までの処理と等しい。
【０１３６】
図１８に示す処理の内容を、図１１を用いて、以下に説明する。中間調出力階調処理部２８は、ステップＥ１で、試験画像に対して、基準補正曲線をそのまま用いた階調補正処理と中間調補正処理とを施し、これら２つの処理後の試験画像を、画像出力装置１５によって印刷させる。ステップＥ２で、中間調出力階調処理部２８は、印刷された試験画像の各指定濃度値ＸＰiのパッチの濃度を画像入力装置１３に測定させ、各指定濃度値に対応する出力測定値ＹＭiを得る。ステップＥ３で、中間調出力階調処理部２８は、各指定濃度値に対応する出力測定値ＹＭiに対する目標特性曲線ＧＹＭ上の入力濃度値、すなわち出力目標濃度値ＸＢ（ＹＭi）を算出する。ステップＥ４で、中間調出力階調処理部２８は、式６に示すように、算出された出力目標濃度値ＸＢ（ＹＭi）に対する曲線値Ｖ（ＹＭi）に、指定濃度値ＸＰiに対する基準補正値ＹＢ（ＸＰi）を代入する。
Ｖ（ＹＭi）＝ＹＢ（ＸＰi）                          …（６）
【０１３７】
入力濃度値の範囲は、全指定濃度値に対応する出力測定値にそれぞれ基づいて算出された全出力目標濃度値によって、指定濃度値の総数よりも１少ない数の区間に区分される。出力目標濃度値ＸＢ（ＹＭk），ＸＢ（ＹＭk+1）を両端とする区間を、以後「第４区間ΔＸＢ（ＹＭk）」と称する。添字ｋは、１以上で出力目標濃度値の総数未満の任意の整数である。
【０１３８】
中間調出力階調処理部２８は、ステップＥ５で、指定濃度値ＸＰｉに対する曲線値Ｖ（ＸＰｉ）を、相似補間法に基づいて算出する。ステップＥ５の相似補間処理は、第４区間ΔＸＢ（ＹＭａ）内の曲線ＧＶの形状が、第４区間の両端の出力目標濃度値に対する曲線値Ｖ（ＹＭａ），Ｖ（ＹＭｂ）を両端とする区間ΔＶ（ＹＭａ）内の基準補正曲線の形状と一致するように行われている。以後の説明では、「第４区間の両端の出力目標濃度値に対する曲線値を両端とする区間」を「第５区間」と称する。
【０１３９】
このために中間調出力階調処理部２８は、まず、全曲線濃度値の中の指定濃度値ＸＰi未満のもののうち、指定濃度値ＸＰiに最も近い出力目標濃度値ＸＢ（ＹＭa）と、全曲線濃度値の中のｉ番目の指定濃度値ＸＰi以上のもののうち、該指定濃度値ＸＰiに最も近い出力目標濃度値ＸＢ（ＹＭb）とを選ぶ。次いで、選ばれた出力目標濃度値に対する曲線値Ｖ（ＹＭa），Ｖ（ＹＭb）とそれぞれ等しい基準補正値に対する基準補正曲線ＧＹＢ上の入力濃度値ＸＢ（Ｖ（ＹＭa）），ＸＢ（Ｖ（ＹＭb））が、求められる。以後の説明では、「出力目標濃度値に対する曲線値と等しい基準補正値に対する基準補正曲線上の入力濃度値」を「曲線濃度値」と称する。
【０１４０】
次いで中間調出力階調処理部２８は、式７を用い、指定濃度値ＸＰiに対する曲線値Ｖ（ＸＰi）を算出する。式７の右辺は、大括弧〔〕内の演算式の演算結果と等しい入力濃度値に対する基準補正値を示す。中間調出力階調処理部２８は、ステップＥ５で、指定濃度値ＸＰiに対する曲線値Ｖ（ＸＰi）と指定濃度値ＸＰiに対する基準補正値ＹＢ（ＸＰi）との差を算出して、式８に示すように、算出された差を指定濃度値ＸＰiに対応する第１補正値ｓiに代入する。全指定濃度値の第１補正量が得られた後、図１８のフローチャートの処理を終了する。
【０１４１】
【数３】
0003737311.tif 000005
【０１４２】
式７の右辺の大括弧〔〕内の式は、第６区間ΔＸＢ（Ｖ（ＹＭａ））内の入力濃度値を、第４区間ΔＸＢ（ＹＭａ）内の入力濃度値に変換するための演算式である。第６区間ΔＸＢ（Ｖ（ＹＭａ））は、指定濃度値ＸＰｉが存在する第４区間の両端の出力目標濃度値に対する曲線値Ｖ（ＹＭａ），Ｖ（ＹＭｂ）と等しい基準補正値に対する基準補正曲線上の入力濃度値ＸＢ（Ｖ（ＹＭａ）），ＸＢ（Ｖ（ＹＭｂ））を両端とする区間である。このために大括弧内の式は、第４区間の幅ＸＢ（ＹＭｂ）−ＸＢ（ＹＭａ）に対する第６区間の幅ＸＢ（Ｖ（ＹＭｂ））−ＸＢ（Ｖ（ＹＭａ））の比と、第４区間の小さいほうの一端から指定濃度値までの距離ＸＰｉ−ＸＢ（ＹＭａ）とを乗算し、得られた積を第４区間の小さいほうの一端ＸＰ（Ｖ（ＹＭａ））に加算している。これによって得られる和と等しい入力濃度値に対する基準補正値が、指定濃度値ＸＰｉに対する曲線値Ｖ（ＸＰｉ）に代入される。式７の演算の際、入力濃度値は整数なので、大括弧内の式の算出結果を整数値に丸め、丸められた値と等しい入力濃度値に対する基準補正曲線ＧＹＢ上の補正値を、指定濃度値に対する曲線値Ｖ（ＸＰｉ）に代入してもよい。
【０１４３】
中間調出力階調処理部２８は、第１補正量の設定処理の際に、好ましくは、図１９に示すように、出力測定値が、画像入力装置１３の出力値の範囲の上限出力値Ｏｕｔ−ｍａｘに近い場合、該出力測定値を第１補正量の設定処理の演算パラメータから除く。また中間調出力階調処理部２８は、第１補正量の設定処理の際に、好ましくは、図１９に示すように、出力測定値が、画像入力装置１３の出力値の範囲の下限出力値Ｏｕｔ−ｍｉｍに近い場合、該出力測定値を第１補正量の設定処理の演算パラメータから除く。これは以下の理由からである。
【０１４４】
画像入力装置１３が読取り可能である濃度の範囲の上限濃度に近い濃度の画素の読取り時、および前記濃度の範囲の下限濃度に近い濃度の画素の読取り時に、画像入力装置１３は、該画素の濃度を本来の濃度の前後の濃度と区別しにくい。ゆえに出力測定値が上限出力値または下限出力値に近い場合、画像出力装置１３がパッチの濃度を読誤っている可能性がある。より適切な第１補正量を得るためには、画像入力装置１３が読取りを誤りやすい濃度の範囲に相当する出力値の範囲、すなわち上限出力値近傍の範囲または下限出力値近傍の範囲内にある出力測定値を演算パラメータから除くことが好ましい。このために中間調出力階調処理部２８は、画像入力装置１３が読取りを誤りやすい濃度の範囲に相当する出力値の範囲外に出力測定値がある場合、該出力測定値を用いた曲線値の算出処理を行い、該出力値の範囲内に出力測定値がある場合、該出力測定値を用いた曲線値の算出処理を停止する。これによって低濃度部および高濃度部内にある指定濃度値に対応する第１補正量が、より適切なものになる。
【０１４５】
中間調出力階調処理部２８は、第１補正量の設定処理の際に、図２０に示すように、指定濃度値に対する出力測定値の変化パターンにおいて、出力測定値が単調増加していない部分がある場合、好ましくは、単調増加していない出力測定値を第１補正量の設定処理の演算パラメータから除く。これは、単調増加していない出力測定値は、画像出力装置１５の不安定さ、または画像入力装置１３の読取り誤差に起因して、不自然なデータになっているためである。前記変化パターンにおいて、ｉ番目（この場合、「ｉ」は１以上でかつ指定濃度値の総数未満の整数）の指定濃度値ＸＰiからｉ＋１番目の指定濃度値ＸＰi+1までの部分が単調増加しているか否かは、変化パターンの勾配が正であるか負であるかを調べれば分かる。
【０１４６】
中間調出力階調処理部２８は、ｉ番目の指定濃度値の出力測定値ＹＭiを、ｉ＋１番目の指定濃度値の出力測定値ＹＭi+1から減算し、得られた差ＹＭi+1−ＹＭiの符号が正の値である場合、該出力測定値ＹＭi，ＹＭi+1をそれぞれ用いた曲線値の算出を行い、差ＹＭi+1−ＹＭiが負の値である場合、該出力測定値ＹＭi，ＹＭi+1をそれぞれ用いた曲線値の算出を停止する。これによって中間調出力階調処理部２８は、より滑らかな補正曲線を作成することができる。
【０１４７】
また中間調出力階調処理部２８は、出力測定値の差ＹＭi+1−ＹＭiが負の値である場合、出力測定値ＹＭi，ＹＭi+1を除く代わりに、これら出力測定値ＹＭi，ＹＭi+1の平均値を、各出力測定値と置換えて指定濃度値ＸＰi，ＸＰi+1に対応付けても良い。これによって中間調出力階調処理部２８は、第１補正量の設定処理時の補間演算において、補間演算に用いられるパラメータが少なくなり過ぎることを防止することができる。さらに中間調出力階調処理部２８は、出力測定値ＹＭi，ＹＭi+1の平均値に対する目標出力曲線上の入力濃度値を求め、求められた入力濃度値に対する補正値に、出力測定値ＹＭi，ＹＭi+1に対応する指定濃度値ＸＰi，ＸＰi+1の平均の入力濃度値に対する基準補正値を代入してもよい。
【０１４８】
前述したように、上述した階調補正処理は、ディザ処理を兼ねている。階調補正処理がディザ処理を兼ねている場合、基準補正曲線と指定濃度値に対応する補正量とは、ディザマトリクスのサイズ毎に、設定されていることが好ましい。
【０１４９】
【表２】
0003737311.tif 000006
【０１５０】
表２は、２×２のディザマトリクス内の４つの画素にそれぞれ割当てられるテーブルを示す。ディザマトリクス内の第１画素Ｄ１に対応する補正テーブルの作成処理には、第１のテーブルが用いられる。第２画素Ｄ２に対応する補正テーブルの作成処理には、第２のテーブルが用いられる。第３画素Ｄ３に対応する補正テーブルの作成処理には、第３のテーブルが用いられる。第４画素Ｄ４に対応する補正テーブルの作成処理には、第４のテーブルが用いられる。補正曲線のグラフの縦軸が４等分され、分割結果である４つの領域が、最大の補正値の小さい領域から順に、第１テーブル、第２テーブル、第３テーブル、第４テーブルに順次割当てられる。各テーブルにおける入力濃度値に対する補正値は、補正曲線の割当てられた領域内にある一部分に応じて、定められる。
【０１５１】
第１〜第４のテーブルを用いて、入力濃度値に対応する補正曲線上の補正値を第１〜第４画素に振分けた値が求められる。これによって、各画素毎の補正テーブルを得ることができる。基準補正曲線および補正量がディザマトリクスのサイズ毎に設定されている場合、中間調出力階調処理部２８は、ディザマトリクスのサイズに応じて適切な階調補正を行うことができる。以上の説明では、２×２のディザマトリクスが用いられる場合を例として説明したが、ディザマトリクスはこれに限らず、３×３以上のディザマトリクスが用いられても良い。
【０１５２】
本実施の形態の説明で用いた各種のパラメータの具体値は例示であり、他の値であってもよい。たとえば、基準補正曲線は、５本に限らず、少なくとも１本あればよい。指定濃度値は、１６個に限らず、複数あればよい。入力濃度値の上限値は２５５に限らない。入力濃度値の下限値は０に限らない。階調補正処理がディザ処理の一部分を兼ねている場合、基準補正値の上限値は入力濃度値の上限値のｍｓ倍であればよく、兼ねていない場合、基準補正値の上限値は入力濃度値の上限値と等しければ良い。
【０１５３】
本実施の形態では、画像処理装置１４は、中間調出力階調処理部２８以外の他の処理部を含んでいる。画像処理装置１４は、中間調出力階調処理部２８と曲線記憶部３１と補正値記憶部３２とを少なくとも含んでいれば良く、他の処理部は適宜省略されてもよい。また本実施の形態の階調補正処理は、中間調生成処理を兼ねている。本実施の形態の階調補正処理と中間調生成処理とは、個別に実行されてもよい。また本実施の形態の階調補正処理は、入力階調補正処理を行う際に適用されてもよい。
【０１５４】
さらにまた本実施の形態の中間調出力階調処理部２８が行う処理は、コンピュータが行っても良い。このために、中間調出力階調処理部２８の処理を中央演算処理回路に行わせるための制御プログラムと、曲線記憶部２１および補正量記憶部２２に記憶されるデータとが、コンピュータが読取り可能な記憶媒体に記憶される。前記制御プログラムとデータとは、階調補正処理のための制御ソフトウエアを構成する。記憶媒体内の制御ソフトウエアがコンピュータにインストールされた後、コンピュータの中央演算処理回路が制御プログラムを実行すると、コンピュータは中間調出力階調処理部２８と同じ処理を行うことができる。
【０１５５】
以上説明した画像処理装置は、階調補正処理に用いる補正曲線を、基準補正曲線と補正量とに基づいて、逐次算出している。補正曲線は、相似補間法を用いて予め作成されて、画像処理装置内に常に記憶されていてもよい。図２１は、補正曲線が予め作成されている画像処理装置が備えられた場合の画像形成装置５１の構成を示すブロック図である。図２１の画像形成装置５１の全構成のうち、図２の画像形成装置１１と異なる構成だけを説明し、図２の画像形成装置１１と同じ構成には同じ参照符を付して説明は省略する。
【０１５６】
画像処理装置５４は、曲線記憶部３１および補正量記憶部３２の代わりに、階調補正処理に用いる補正曲線そのものを記憶している補正曲線記憶部（補正曲線記憶手段）５３を有し、他の構成は図２の画像処理装置１４と等しい。階調補正処理の実行時には、中間調出力階調処理部２８は、補正曲線記憶部５３から補正曲線を読出し、読出した補正曲線を用いてγ補正テーブルを作成する。これによって図２１の画像形成装置５１は、図２の画像形成装置１１よりも、画像出力時に、補正曲線を作成する時間の分だけ速く、階調補正処理を行うことができる。
【０１５７】
補正曲線記憶部５３に記憶される補正曲線上の補正値は、相似補間法を用い、図１８で説明した第１補正量設定時の曲線値の算出手順と同じ手順で算出される。補正曲線の作成手順を以下に説明する。補正曲線の作成のために、基準補正曲線と目標特性曲線とが、予め用意される。
【０１５８】
まず、各指定濃度値ＸＰiの画像パターンに、基準補正曲線を用いた階調補正処理が施され、階調補正処理された各指定濃度値ＸＰiの画像パターンが画像出力装置１５から出力される。次いで、出力された各指定濃度値ＸＰiの画像パターンの濃度が読みとられ、各指定濃度値に対応する出力測定値ＹＭiが得られる。次いで、各指定濃度値に対応する出力濃度値ＹＭiに対する目標特性曲線上の入力濃度値ＸＢ（ＹＭi）が算出され、算出された出力目標濃度値ＸＢ（ＹＭi）に対する補正値ＹＰ（ＹＭi）に、指定濃度値ＸＰiに対する基準補正値ＹＢ（ＸＰi）が代入される。
【０１５９】
最後に、相似補間法を用いた補間演算によって、出力目標濃度値ＸＢ（ＹＭｉ）以外の他の入力濃度値に対する補正値が算出される。この際、補間演算は、指定濃度値ＸＰｉを挟む出力目標濃度値ＸＢ（ＹＭａ），ＸＢ（ＹＭｂ）を両端とする第４区間ΔＸＢ（ＹＭａ）内にある補正曲線の形状を、第４区間の両端の出力目標濃度値ＸＢ（ＹＭａ），ＸＢ（ＹＭｂ）に対する補正値ＹＰ（ＸＢ（ＹＭａ）），ＹＰ（ＸＢ（ＹＭｂ））を両端とする第５区間内にある基準補正曲線の形状を濃度値軸方向Ｘに伸長または圧縮した形状と一致させるように、行われる。
【０１６０】
このように相似補間法を用いて作成された補正曲線は、補間演算にスプライン補間法またはｎ次関数近似法を用いて作成された補正曲線よりも、簡易な計算によって作成されていながら同じように滑らかになっている。また指定濃度値を両端とする第４区間毎の補正曲線の出力特性は、第１区間の両端と同じ指定濃度値に対する基準補正曲線上の補正値を両端とする第５区間の基準補正曲線の出力特性と相似になる。
【０１６１】
【発明の効果】
以上のように本発明によれば、画像処理装置において、階調補正処理手段は、基準補正曲線と指定濃度値に対する補正量とを用いて補正曲線を作成する場合、基準補正曲線のある着目する区間の形状を濃度値軸に平行な方向に移動させてかつ該方向に伸長または圧縮する補間演算によって、前記着目する区間と所定の関係で対応付けられた区間の補正曲線の形状を求める。これによって、補間演算にスプライン補間法またはｎ次関数近似法を用いた場合よりも簡易な計算によって滑らかな補正曲線が高速に得られる。また補正曲線の出力特性は基準補正曲線の出力特性と区間毎に相似になるので、補正曲線の信頼性が向上する。
また本発明によれば、指定濃度値に対応する補正量は、画像出力手段固有の出力特性に基づいて定められる。これによって階調補正処理手段は、画像出力手段固有の出力特性に基づいた適切なγ補正処理を行うことができる。
【０１６２】
また本発明によれば、画像出力手段固有の出力特性に基づく補正量は、基準補正曲線を用いた階調補正処理が施された指定濃度値の画像パターンの出力結果に応じて設定される。これによって階調補正処理手段は、画像出力手段固有の出力特性に対して最も適切な第１の補正量を、設定することができる。
【０１６３】
また本発明によれば、階調補正処理手段は、第１補正量設定のための画像パターンの読取り時に、画像入力手段によって正確に区別することの難しい濃度が得られた場合、該濃度を用いた曲線値の算出を停止する。これによって、画像出力装置が出力可能な濃度の範囲内の低濃度部および高濃度部内にある指定濃度値に対応する第１の補正量が、より適切なものになる。
また本発明によれば、指定濃度値に対応する補正量は、画像出力手段固有の出力特性と調整量とに基づいて定められる。これによって階調補正処理手段は、画像出力手段固有の出力特性に基づいた適切なγ補正処理を行うことができ、かつ調整量に基づいた補正処理を行うことができる。
【０１６４】
また本発明によれば、指定濃度値に対応する補正量および基準補正曲線は、ディザマトリクスの大きさ毎にそれぞれ設定されている。これによって階調補正処理手段は、各ディザマトリクスサイズ毎に適切な階調補正処理を行うことができる。
【０１６５】
また以上のように本発明によれば、画像処理装置は、階調補正処理に用いる補正曲線そのものを記憶している。記憶される補正曲線は、基準補正曲線と複数の指定濃度値に対応する補正量とに基づいて作成され、かつ補正曲線の形状は、基準補正曲線の形状を濃度値軸に平行な方向に移動させてかつ該方向に伸長または圧縮する補間演算によって作成される。これによって補正曲線は簡易な計算によって作成することができ、かつ基準補正曲線と区間毎に相似になるので、信頼性が向上する。また画像処理装置は、補正曲線自体を予め作成して記憶しているので、補正曲線を作成する時間の分だけ速く、階調補正処理を行うことができる。
【０１６６】
また本発明によれば、階調補正処理手段は、補間演算時に、前記指定濃度値に対する補正値に対する基準補正曲線上の入力濃度値を両端とする第３区間を算出し、前記第３区間の両端と指定濃度値を両端とする前記第１区間の両端とが一致するように、第３区間内の入力濃度値を第１区間内の入力濃度値に対応付け、第３区間内の入力濃度値に対する前記基準補正曲線上の補正値を、該入力濃度値に対応付けられる第１区間内の入力濃度値に対する補正値として用いる。これによって階調補正処理手段は、第１区間内の入力濃度値に対する補正値を、第３区間内の入力濃度値と該入力濃度値に対する基準補正曲線上の補正値とに基づいて算出することができる。
【０１６７】
さらにまた本発明によれば、階調補正処理手段は、前記第３の区間の幅に対する前記第１の区間の幅の比と、該第３区間の一方端から該第３区間内の入力濃度値までの距離との積に、前記第１の区間の一方端の指定濃度値を加算し、算出された和を予め定める桁数に丸め、丸められた値と等しい第１区間内の入力濃度値を、第３区間内の入力濃度値に対応付ける。これによって階調補正処理手段は、入力濃度値の桁数が予め定められている場合、第１区間内の入力濃度値に対する補正値を算出することができる。
【０１６８】
また本発明によれば、階調補正処理手段は、第１の区間内の全入力濃度値のうち、第３の区間内の入力濃度値に対応付けられる入力濃度値以外の残余の入力濃度値に対する補正値を、補間演算によって求める。これによって階調補正処理手段は、第３区間内の入力濃度値に対応付けられていない第１区間内の入力濃度値に対する補正値を、補間演算によって、容易に求めることができる。
【０１６９】
さらにまた本発明によれば、階調補正処理手段は、第１の区間内の単一の入力濃度値に第３の区間内の複数の入力濃度値が重複して対応付けられるとき、重複する前記第３の区間内の入力濃度値にそれぞれ対する基準補正曲線上の補正値のうち、最後に算出された補正値を、前記第１の区間内の入力濃度値に対する補正値として用いる。これによって階調補正処理手段は、補正曲線をより速く作成することができる。
【０１７０】
また本発明によれば、階調補正処理手段は、第１の区間内の単一の入力濃度値に第３の区間内の複数の入力濃度値が重複して対応付けられるとき、重複する第３の区間内の入力濃度値にそれぞれ対する基準補正曲線上の補正値の中央値を、第１の区間内の入力濃度値に対する補正値として用いる。これによって階調補正処理手段は、補正曲線の形状の崩れを防止して、画像出力手段にさらに適した補正曲線を作成することができる。
【０１７１】
さらにまた本発明によれば、複数の指定濃度値のうちのいずれか１つは、入力濃度値の範囲の下限濃度値である。また本発明によれば、複数の指定濃度値のうちのいずれか１つは、入力濃度値の範囲の上限濃度値である。これらによって階調補正処理手段は、より適切な階調補正を行うことができる。
【０１７２】
さらにまた本発明によれば、入力濃度値の範囲の上限濃度値の近傍区間、および入力濃度値の範囲の下限濃度値の近傍区間のうちの少なくとも一方区間内にある入力濃度値に対する補正値が、常に固定されている。これによって前記少なくとも一方区間内の出力特性は、予め定める特性に常に維持される。
【０１７３】
また本発明によれば、複数の基準補正曲線が記憶される場合、補正曲線の作成に用いられる基準補正曲線は、画像出力手段固有の出力特性に応じて選ばれる。これによって階調補正処理手段は、画像出力手段固有の出力特性により適した補正曲線を、作成することができる。
さらにまた本発明によれば、基準補正曲線は、指定濃度値の画像パターンをそのまま画像出力装置に出力させた結果に基づいて選ばれる。これによって階調補正処理手段は、画像出力手段固有の出力特性に対して最も適切な基準補正曲線を、選択することができる。
【０１７４】
さらにまた本発明によれば、指定濃度値に対応する補正量は、調整量に基づいて定められる。これによって階調補正処理手段は、調整量に基づいた濃度値の補正処理をγ補正処理と同時に行うことができる。
さらにまた本発明によれば、複数の調整量が入力される場合、調整量に基づいて定められる補正量は、各調整量に基づいた補正量の総和になっている。これによって前記階調補正処理手段は、複数の調整量が入力される場合、複数の調整量に基づいた補正量を容易に算出することができる。
さらにまた本発明によれば、第１補正量の設定時に行われる補間演算は、基準補正曲線の形状を濃度値軸に平行な方向に移動させてかつ該方向に伸長または圧縮する補間演算によって実現される。これによって階調補正処理手段は、画像出力装置固有の出力特性に基づいた第１の補正量として、より適切な補正量を算出することができる。
【０１７５】
さらにまた本発明によれば、階調補正処理手段は、２つの指定濃度値の画像パターンの読取られた濃度の差が負の値である場合、該指定濃度値を用いた曲線値の算出を停止する。これによって階調補正処理手段は、より滑らかな補正曲線を作成することができる。
また本発明によれば、階調補正処理手段は、２つの指定濃度値の画像パターンの読取られた濃度の差が負の値である場合、該濃度の平均濃度と該指定濃度値の平均の入力濃度値とを用いて曲線値を求める。これによって階調補正処理手段は、第１補正量の算出時の補間演算において、補間演算に用いられるデータが少なくなりすぎることを防止することができる。
さらにまた本発明によれば、指定濃度値に対応する補正量および基準補正曲線は、各色成分毎にそれぞれ設定されている。これによって階調補正処理手段は、各色成分毎に適切な階調補正処理を行うことができる。
【図面の簡単な説明】
【図１】本発明の実施の一形態に係る画像処理装置が備えられた画像形成装置の構成を示す正面断面図である。
【図２】図１の画像形成装置内の画像処理装置の構成を示すブロック図である。
【図３】本発明の階調補正処理に使用される基準補正曲線を示すグラフである。
【図４】本発明における補正値の補間処理を説明するための補正曲線のグラフである。
【図５】本発明の階調補正処理に必要な基準補正曲線を選択するために用いられる基準特性曲線を示すグラフである。
【図６】本発明の階調補正処理に用いられる試験画像を示す図である。
【図７】基準補正曲線の選択処理を示すフローチャートである。
【図８】基準特性曲線の選択にあたり、指定濃度値に対応する出力測定値と基準特性曲線との差を求める手法を説明するためのグラフである。
【図９】指定濃度値に対応する出力測定値と基準特性曲線とを比較して最も近い基準特性曲線を選択する手法を説明するためのグラフである。
【図１０】出力測定値に対する目標特性曲線上の入力濃度値を求める手法を説明するためのグラフである。
【図１１】出力測定値に対する目標特性曲線上の入力濃度値に対する補正値を設定する手法を説明するためのグラフである。
【図１２】図２の画像処理装置内の中間調出力階調処理部の主制御処理を示すフローチャートである。
【図１３】本発明の階調補正処理に用いられるγ補正テーブルの作成手法を示すフローチャートである。
【図１４】γ補正テーブルの作成に用いられる補正曲線の補間処理を示すフローチャートである。
【図１５】図４の補間処理において、基準補正曲線を伸長または圧縮する際の処理方法を説明するためのグラフである。
【図１６】図４の補間処理において、指定濃度値に上限濃度値および下限濃度値を含めておく場合を説明するためのグラフである。
【図１７】図４の補間処理において、上限濃度値の近傍区間および下限濃度値の近傍区間の補正値を固定しておく場合を説明するためのグラフである。
【図１８】図４の補間処理を用いた第１補正量の設定処理を示すフローチャートである。
【図１９】出力測定値の選択にあたり、出力測定値が最大値または最小値に近い画素に対しては、該画素の指定濃度値に対する基準補正値を用いない場合を説明するためのグラフである。
【図２０】出力測定値の選択にあたり、指定濃度値に対する出力測定値が単調増加になっていない場合を説明するためのグラフである。
【図２１】補正曲線が予め記憶されている場合の画像処理装置の構成を示すブロック図である。
【符号の説明】
１１，５１  画像形成装置
１３  画像入力装置
１４，５４  画像処理装置
１５  画像出力装置
２８  中間調出力階調処理部
３１  基準補正曲線記憶部（基準補正曲線記憶手段）
３２  補正量記憶部（補正量記憶手段）
５３  補正曲線記憶部（補正曲線記憶手段）
【図１】
0003737311.tif 000007
【図２】
0003737311.tif 000008
【図３】
0003737311.tif 000009
【図４】
0003737311.tif 000010
【図５】
0003737311.tif 000011
【図６】
0003737311.tif 000012
【図７】
0003737311.tif 000013
【図８】
0003737311.tif 000014
【図９】
0003737311.tif 000015
【図１０】
0003737311.tif 000016
【図１１】
0003737311.tif 000017
【図１２】
0003737311.tif 000018
【図１３】
0003737311.tif 000019
【図１４】
0003737311.tif 000020
【図１５】
0003737311.tif 000021
【図１６】
0003737311.tif 000022
【図１７】
0003737311.tif 000023
【図１８】
0003737311.tif 000024
【図１９】
0003737311.tif 000025
【図２０】
0003737311.tif 000026
【図２１】
0003737311.tif 000027